(57)【要約】  画像復号装置は、複数のユニットに分割された画像の符号化ストリームを復号する画像復号装置であって、１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部（１０１）と、符号化ストリームに含まれる情報であり、１以上のパラメータ候補に関する情報であるパラメータ情報を復号するパラメータ情報復号部（１０２）と、パラメータ候補生成部（１０１）で生成されたパラメータ候補リストに、パラメータ情報復号部（１０２）で復号されたパラメータ情報が整合しない状態をエラーとして検出するエラー検出部（１０３）とを備える。
2013136678.tif 000002
【特許請求の範囲】
【請求項１】
複数のユニットに分割された画像の符号化ストリームを復号する画像復号装置であって、
１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、
前記符号化ストリームに含まれる情報であり、前記１以上のパラメータ候補に関する情報であるパラメータ情報を復号するパラメータ情報復号部と、
前記パラメータ候補生成部で生成された前記パラメータ候補リストに、前記パラメータ情報復号部で復号された前記パラメータ情報が整合しない状態をエラーとして検出するエラー検出部とを備える
画像復号装置。
【請求項２】
前記パラメータ情報復号部は、前記パラメータ候補リストから前記復号対象ユニットの復号に用いられる前記パラメータを特定するための前記パラメータ情報を復号し、
前記エラー検出部は、前記パラメータ情報復号部で復号された前記パラメータ情報により特定される前記パラメータが前記パラメータ候補リストに存在しない前記状態を前記エラーとして検出する
請求項１に記載の画像復号装置。
【請求項３】
前記パラメータ情報復号部は、前記１以上のパラメータ候補の最大数を示す前記パラメータ情報を復号し、
前記エラー検出部は、前記パラメータ候補生成部で生成された前記パラメータ候補リストに含まれる前記１以上のパラメータ候補の候補数が、前記パラメータ情報復号部で復号された前記パラメータ情報により示される前記最大数よりも大きい前記状態を前記エラーとして検出する
請求項１に記載の画像復号装置。
【請求項４】
前記パラメータ情報復号部は、前記パラメータ候補リストから前記復号対象ユニットの復号に用いられる前記パラメータを特定するための番号を示す前記パラメータ情報を復号し、
前記エラー検出部は、前記パラメータ情報復号部で復号された前記パラメータ情報により示される前記番号が、前記パラメータ候補リストに含まれる前記１以上のパラメータ候補の最大数よりも大きい前記状態を前記エラーとして検出する
請求項１または２に記載の画像復号装置。
【請求項５】
前記複数のユニットのそれぞれは、予測ユニットである
請求項１〜４のいずれか１項に記載の画像復号装置。
【請求項６】
前記パラメータ候補リストに含まれる前記１以上のパラメータ候補のそれぞれは、予測動きベクトル候補である
請求項５に記載の画像復号装置。
【請求項７】
前記パラメータ候補リストに含まれる前記１以上のパラメータ候補のそれぞれは、面内予測モード候補である
請求項５に記載の画像復号装置。
【請求項８】
前記画像復号装置は、さらに、前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、
前記画像復号部は、前記エラー検出部により前記エラーが検出された場合でも、前記符号化ストリームの復号を継続する
請求項１〜７のいずれか１項に記載の画像復号装置。
【請求項９】
前記画像復号部は、前記エラー検出部により前記エラーが検出された場合、前記エラーを隠蔽して、前記符号化ストリームの復号を継続する
請求項８に記載の画像復号装置。
【請求項１０】
前記画像復号部は、前記エラー検出部により前記エラーが検出された場合、前記パラメータ候補リストから代替パラメータを特定し、特定された前記代替パラメータを用いて前記復号対象ユニットを復号することにより、前記エラーを隠蔽する
請求項９に記載の画像復号装置。
【請求項１１】
前記画像復号部は、前記エラー検出部により前記エラーが検出された場合、予め定められた代替パラメータを用いて前記復号対象ユニットを復号することにより、前記エラーを隠蔽する
請求項９に記載の画像復号装置。
【請求項１２】
前記画像復号部は、前記エラー検出部により前記エラーが検出された場合、前記復号対象ユニットとは異なるユニットを復号することにより、前記符号化ストリームの復号を継続する
請求項８に記載の画像復号装置。
【請求項１３】
複数のユニットに分割された画像の符号化ストリームを復号する画像復号装置であって、
１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、
前記符号化ストリームに含まれる情報であり、前記１以上のパラメータ候補に関する情報であるパラメータ情報を復号するパラメータ情報復号部と、
前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、
前記画像復号部は、前記パラメータ候補生成部で生成された前記パラメータ候補リストに、前記パラメータ情報復号部で復号された前記パラメータ情報が整合しない場合でも、前記符号化ストリームの復号を継続する
画像復号装置。
【請求項１４】
前記画像復号部は、前記パラメータ候補リストに前記パラメータ情報が整合しない場合、代替パラメータを用いて前記復号対象ユニットを復号することにより、前記符号化ストリームの復号を継続する
請求項１３に記載の画像復号装置。
【請求項１５】
前記画像復号部は、前記パラメータ候補リストに前記パラメータ情報が整合しない場合、前記復号対象ユニットとは異なるユニットを復号することにより、前記符号化ストリームの復号を継続する
請求項１３に記載の画像復号装置。
【請求項１６】
複数のユニットに分割された画像の符号化ストリームを復号する画像復号方法であって、
１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成ステップと、
前記符号化ストリームに含まれる情報であり、前記１以上のパラメータ候補に関する情報であるパラメータ情報を復号するパラメータ情報復号ステップと、
前記パラメータ候補生成ステップで生成された前記パラメータ候補リストに、前記パラメータ情報復号ステップで復号された前記パラメータ情報が整合しない状態をエラーとして検出するエラー検出ステップとを含む
画像復号方法。
【請求項１７】
請求項１６に記載の画像復号方法をコンピュータに実行させるためのプログラム。
【請求項１８】
複数のユニットに分割された画像の符号化ストリームを復号する集積回路であって、
１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、
前記符号化ストリームに含まれる情報であり、前記１以上のパラメータ候補に関する情報であるパラメータ情報を復号するパラメータ情報復号部と、
前記パラメータ候補生成部で生成された前記パラメータ候補リストに、前記パラメータ情報復号部で復号された前記パラメータ情報が整合しない状態をエラーとして検出するエラー検出部とを備える
集積回路。
【発明の詳細な説明】
【技術分野】
【０００１】
本発明は、複数のユニットに分割された画像の符号化ストリームを復号する画像復号装置に関する。
【背景技術】
【０００２】
画像の符号化ストリームを復号する画像復号装置に関する技術として、特許文献１、非特許文献１および非特許文献２に記載の技術がある。
【先行技術文献】
【特許文献】
【０００３】
【特許文献１】特許第３３２２６７０号公報
【非特許文献】
【０００４】
【非特許文献１】ＩＴＵ−Ｔ  Ｒｅｃｏｍｍｅｎｄａｔｉｏｎ  Ｈ．２６４「Ａｄｖａｎｃｅｄ  ｖｉｄｅｏ  ｃｏｄｉｎｇ  ｆｏｒ  ｇｅｎｅｒｉｃ  ａｕｄｉｏｖｉｓｕａｌ  ｓｅｒｖｉｃｅｓ」、２０１０年３月
【非特許文献２】「Ｗｏｒｋｉｎｇ  Ｄｒａｆｔ  ５  ｏｆ  Ｈｉｇｈ−Ｅｆｆｉｃｉｅｎｃｙ  Ｖｉｄｅｏ  Ｃｏｄｉｎｇ」、［ｏｎｌｉｎｅ］、Ｊｏｉｎｔ  Ｃｏｌｌａｂｏｒａｔｉｖｅ  Ｔｅａｍ  ｏｎ  Ｖｉｄｅｏ  Ｃｏｄｉｎｇ（ＪＣＴ−ＶＣ）、２０１２年１月２０日、［２０１２年１月２０日検索］、インターネット＜ＵＲＬ：ｈｔｔｐ：／／ｐｈｅｎｉｘ．ｉｎｔ−ｅｖｒｙ．ｆｒ／ｊｃｔ／ｄｏｃ＿ｅｎｄ＿ｕｓｅｒ／ｄｏｃｕｍｅｎｔｓ／７＿Ｇｅｎｅｖａ／ｗｇ１１／ＪＣＴＶＣ−Ｇ１１０３−ｖ９．ｚｉｐ＞
【発明の概要】
【発明が解決しようとする課題】
【０００５】
しかしながら、従来の技術において想定されていないエラーが画像の符号化ストリームに含まれている可能性がある。【０００６】
そこで、本発明は、画像の符号化ストリームを復号する画像復号装置であって、高いエラー耐性を有する画像復号装置を提供する。
【課題を解決するための手段】
【０００７】
本発明の一態様に係る画像復号装置は、複数のユニットに分割された画像の符号化ストリームを復号する画像復号装置であって、１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、前記符号化ストリームに含まれる情報であり、前記１以上のパラメータ候補に関する情報であるパラメータ情報を復号するパラメータ情報復号部と、前記パラメータ候補生成部で生成された前記パラメータ候補リストに、前記パラメータ情報復号部で復号された前記パラメータ情報が整合しない状態をエラーとして検出するエラー検出部とを備える。【０００８】
なお、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【発明の効果】
【０００９】
本発明の一態様に係る画像復号装置は、画像の符号化ストリームを復号する画像復号装置であって、高いエラー耐性を有する。
【図面の簡単な説明】
【００１０】
【図１Ａ】図１Ａは、従来のコーデックの符号語テーブルの一例を示す図である。
【図１Ｂ】図１Ｂは、近年のコーデックの符号語テーブルの一例を示す図である。
【図２】図２は、実施の形態１に係る画像復号装置の構成を示すブロック図である。
【図３】図３は、実施の形態１に係る動きベクトル演算部と動き補償部の構成を示すブロック図である。
【図４Ａ】図４Ａは、実施の形態１に係るシーケンスの一例を示す図である。
【図４Ｂ】図４Ｂは、実施の形態１に係るピクチャの一例を示す図である。
【図４Ｃ】図４Ｃは、実施の形態１に係る符号化ストリームの一例を示す図である。
【図５Ａ】図５Ａは、実施の形態１に係る符号化ユニットの一例を示す図である。
【図５Ｂ】図５Ｂは、実施の形態１に係る符号化ユニットレイヤデータの一例を示す図である。
【図６Ａ】図６Ａは、実施の形態１に係る符号化ユニットデータの一例を示す図である。
【図６Ｂ】図６Ｂは、実施の形態１に係る予測ユニットのサイズの例を示す図である。
【図６Ｃ】図６Ｃは、実施の形態１に係る変換ユニットのサイズの例を示す図である。
【図７】図７は、実施の形態１に係るシーケンスの復号を示すフローチャートである。
【図８】図８は、実施の形態１に係る符号化ユニットの復号を示すフローチャートである。
【図９】図９は、実施の形態１に係るエラーの検出を示すフローチャートである。
【図１０】図１０は、実施の形態１に係る空間隣接予測ユニットから予測動きベクトル候補を算出する動作を示すフローチャートである。
【図１１】図１１は、実施の形態１に係る空間隣接予測ユニットを示す図である。
【図１２】図１２は、実施の形態１に係る空間隣接予測ユニットの利用可能性の第１の判定例を示す図である。
【図１３Ａ】図１３Ａは、実施の形態１に係る空間隣接予測ユニットの利用可能性の第２の判定例を示す図である。
【図１３Ｂ】図１３Ｂは、実施の形態１に係る空間隣接予測ユニットの利用可能性の第３の判定例を示す図である。
【図１４】図１４は、実施の形態１に係る時間隣接予測ユニットから予測動きベクトル候補を算出する動作を示すフローチャートである。
【図１５】図１５は、実施の形態１に係る時間隣接予測ユニットを示す図である。
【図１６】図１６は、実施の形態１に係る時間隣接予測ユニットから予測動きベクトル候補を算出する動作の一例を示す図である。
【図１７Ａ】図１７Ａは、実施の形態１に係る予測動きベクトル候補リストの第１の状態を示す図である。
【図１７Ｂ】図１７Ｂは、実施の形態１に係る予測動きベクトル候補リストの第２の状態を示す図である。
【図１８】図１８は、実施の形態１に係るエラーの検出の例を示す図である。
【図１９】図１９は、実施の形態２に係るエラーの隠蔽の動作を示すフローチャートである。
【図２０】図２０は、実施の形態３に係る集積回路の構成を示すブロック図である。
【図２１】図２１は、実施の形態４に係る画像復号装置の構成を示すブロック図である。
【図２２】図２２は、実施の形態４に係る画像復号装置の動作を示すフローチャートである。
【図２３】図２３は、実施の形態４の第１の変形例に係る画像復号装置の構成を示すブロック図である。
【図２４】図２４は、実施の形態４の第１の変形例に係る画像復号装置の動作を示すフローチャートである。
【図２５】図２５は、実施の形態４の第２の変形例に係る画像復号装置の構成を示すブロック図である。
【図２６】図２６は、実施の形態４の第２の変形例に係る画像復号装置の動作を示すフローチャートである。
【図２７】図２７は、コンテンツ配信サービスを実現するコンテンツ供給システムの全体構成図である。
【図２８】図２８は、デジタル放送用システムの全体構成図である。
【図２９】図２９は、テレビの構成例を示すブロック図である。
【図３０】図３０は、光ディスクである記録メディアに情報の読み書きを行う情報再生／記録部の構成例を示すブロック図である。
【図３１】図３１は、光ディスクである記録メディアの構造例を示す図である。
【図３２Ａ】図３２Ａは、携帯電話の一例を示す図である。
【図３２Ｂ】図３２Ｂは、携帯電話の構成例を示すブロック図である。
【図３３】図３３は、多重化データの構成を示す図である。
【図３４】図３４は、各ストリームが多重化データにおいてどのように多重化されているかを模式的に示す図である。
【図３５】図３５は、ＰＥＳパケット列に、ビデオストリームがどのように格納されるかを更に詳しく示した図である。
【図３６】図３６は、多重化データにおけるＴＳパケットとソースパケットの構造を示す図である。
【図３７】図３７は、ＰＭＴのデータ構成を示す図である。
【図３８】図３８は、多重化データ情報の内部構成を示す図である。
【図３９】図３９は、ストリーム属性情報の内部構成を示す図である。
【図４０】図４０は、映像データを識別するステップを示す図である。
【図４１】図４１は、各実施の形態の動画像符号化方法および動画像復号化方法を実現する集積回路の構成例を示すブロック図である。
【図４２】図４２は、駆動周波数を切り替える構成を示す図である。
【図４３】図４３は、映像データを識別し、駆動周波数を切り替えるステップを示す図である。
【図４４】図４４は、映像データの規格と駆動周波数を対応づけたルックアップテーブルの一例を示す図である。
【図４５Ａ】図４５Ａは、信号処理部のモジュールを共有化する構成の一例を示す図である。
【図４５Ｂ】図４５Ｂは、信号処理部のモジュールを共有化する構成の他の一例を示す図である。
【発明を実施するための形態】
【００１１】
（本発明の基礎となった知見）
本発明者は、画像復号装置に関する課題を見出した。以下、具体的に画像復号装置に関する課題を説明する。
【００１２】
画像を符号化する画像符号化装置は、画像を構成する各ピクチャを１６×１６画素でそれぞれが構成される複数のマクロブロック（Ｍａｃｒｏｂｌｏｃｋ、略してＭＢと呼ぶこともある）に分割する。そして、画像符号化装置は、ラスタースキャン順に各マクロブロックを符号化する。画像符号化装置は、画像を符号化し圧縮することにより、符号化ストリームを生成する。画像復号装置は、この符号化ストリームをラスタースキャン順でマクロブロック毎に復号し、元の画像の各ピクチャを再生する。
【００１３】
従来の画像符号化方式の１つとしてＩＴＵ−Ｔ  Ｈ．２６４規格がある（例えば、非特許文献１を参照）。画像復号装置は、Ｈ．２６４規格で符号化された画像を復号するため、まず、符号化ストリームを読み込む。そして、画像復号装置は、各種ヘッダ情報を復号後、可変長復号を行う。画像復号装置は、可変長復号により得られた係数情報を逆量子化して、逆周波数変換する。これにより、差分画像が生成される。
【００１４】
次に、画像復号装置は、可変長復号により得られたマクロブロックタイプに応じて、面内予測または動き補償を行う。ここで、動き補償は最大１６×１６画素に対して行われる。これにより、画像復号装置は、予測画像を生成する。その後、画像復号装置は、予測画像に差分画像を加算することにより、再構成処理を行う。そして、画像復号装置は、再構成画像にインループフィルタ処理を行うことで復号対象画像を復号する。
【００１５】
Ｈ．２６４規格に係る画像符号化装置は、先ほど述べた通り、１６×１６画素で構成されるマクロブロック単位で画像を符号化する。しかし、符号化の単位として１６×１６画素が、必ずしも最適とは限らない。一般に、画像の解像度が高くなるにつれて、隣接ブロック間の相関が高くなる。そのため、符号化の単位を大きくした方が、より圧縮効率を向上させることができる。
【００１６】
近年、４Ｋ２Ｋ（３８４０画素×２１６０画素）等のように、超高精細なディスプレイの開発が行われてきている。したがって、扱う画像の解像度がますます高くなっていくことが予想される。Ｈ．２６４規格に係る画像符号化装置は、このように画像の高解像度化が進むにつれて、これらの高解像度の画像を効率的に符号化することができなくなってきている。
【００１７】
一方、次世代の画像符号化規格として提案されている技術の中には、このような課題を解決する技術がある（非特許文献２）。この技術では、従来のＨ．２６４規格のマクロブロックに対応する符号化単位ブロックのサイズが可変になる。これにより、この技術に係る画像符号化装置は、従来の１６×１６画素よりも大きなブロックで画像を符号化することも可能であり、超高精細画像を適切に符号化することができる。
【００１８】
具体的には、非特許文献２では、符号化のデータ単位として、符号化ユニット（ＣＵ：Ｃｏｄｉｎｇ  Ｕｎｉｔ）が定義されている。この符号化ユニットは、従来の符号化規格におけるマクロブロックと同様に、面内予測を行うイントラ予測と、動き補償を行うインター予測とを切り替えることが可能なデータ単位であり、符号化の最も基本的なブロックサイズとして規定されている。
【００１９】
この符号化ユニットのサイズは、８×８画素、１６×１６画素、３２×３２画素、および、６４×６４画素のいずれかである。最も大きな符号化ユニットは、最大符号化ユニット（ＬＣＵ：Ｌａｒｇｅｓｔ  Ｃｏｄｉｎｇ  Ｕｎｉｔ）と呼ばれる。さらに、周波数変換サイズとして、変換ユニット（ＴＵ：Ｔｒａｎｓｆｏｒｍ  Ｕｎｉｔ）が定義されている。変換ユニットは、周波数変換ユニットとも呼ばれる。
【００２０】
この変換ユニットには、例えば、４×４画素、８×８画素、１６×１６画素、１６×１２画素、および、３２×３２画素など、４×４画素以上の様々な矩形のサイズが用いられる。
【００２１】
また、さらに、面内予測またはインター予測の単位として、符号化ユニットの内部に予測ユニット（ＰＵ：Ｐｒｅｄｉｃｔｉｏｎ  Ｕｎｉｔ）が定義されている。予測ユニットには、例えば、６４×６４画素、６４×３２画素、３２×６４画素、３２×３２画素、３２×１６画素、１６×３２画素、および、１６×１２画素など、４×４画素以上の様々な矩形のサイズが用いられる。
【００２２】
また、インターネットの普及に伴い、通信品質が必ずしも安定しないネットワークで動画像を取り扱うことが多くなっている。そのため、エラー検出およびエラー処理の精度を高めてエラー耐性の強化を図ることが期待されている。これに関して、例えば、動きベクトルがピクチャ外を示している場合にエラーが含まれると判定する技術が開示されている（特許文献１参照）。
【００２３】
また、近年では、可変長符号化の冗長度が低いため、ビット列からエラーを検出することは困難である。例えば、従来の符号語テーブルは、図１Ａのように、未使用の符号語「１１」を有することで、冗長度を有する。しかしながら、近年の符号語テーブルでは、図１Ｂのように、従来では未使用の符号語「１１」に、復号情報「３」が割り当てられている。このように、近年では、冗長度が低下している。
【００２４】
このため、例えば、ビットの欠落等のエラーが発生していても、ビット列からエラーが検出されず、想定外の情報が復号される可能性がある。そして、復号された想定外の情報が、符号化ストリームの復号処理を停止させる等の弊害を招く可能性がある。
【００２５】
また、非特許文献２に記載された技術では、画像復号装置は、複数の復号済み予測ユニットの復号に用いられた複数の予測パラメータから、復号対象予測ユニットの予測パラメータを特定する。そして、画像復号装置は、特定された予測パラメータを用いて復号対象予測ユニットを復号する。
【００２６】
より具体的には、画像復号装置は、複数の復号済み予測ユニットの複数の予測パラメータを用いて、複数の予測パラメータ候補を含む予測パラメータ候補リストを作成する。そして、画像復号装置は、別途符号化ストリーム中に符号化された予測パラメータ識別情報を用いて、予測パラメータ候補リストから予測パラメータを特定する。そして、画像復号装置は、特定された予測パラメータを用いて、復号対象予測ユニットを復号する。ここで、予測パラメータは、例えば、動きベクトルまたは画面内予測モードである。
【００２７】
上記の技術では、予測パラメータ識別情報は誤っていないことが前提であり、予測パラメータ候補リストに予測パラメータ識別情報で特定される予測パラメータが存在しないことは考慮されていない。そのため、例えば、予測パラメータ識別情報が誤っていても、上記の技術に係る画像復号装置は、予測パラメータ識別情報のエラーを検出することができない。
【００２８】
また、例えば、伝送時のビットの欠落、または、他のエラー処理に伴うデータの置き換え等により、符号化に用いられた予測パラメータ候補リストと同じ予測パラメータ候補リストが復号において作成されない可能性がある。上記の技術に係る画像復号装置は、不適切な予測パラメータ候補リストをエラーとして検出することができない。
【００２９】
そこで、本発明の一態様に係る画像復号装置は、複数のユニットに分割された画像の符号化ストリームを復号する画像復号装置であって、１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、前記符号化ストリームに含まれる情報であり、前記１以上のパラメータ候補に関する情報であるパラメータ情報を復号するパラメータ情報復号部と、前記パラメータ候補生成部で生成された前記パラメータ候補リストに、前記パラメータ情報復号部で復号された前記パラメータ情報が整合しない状態をエラーとして検出するエラー検出部とを備える。
【００３０】
これにより、画像復号装置は、パラメータ候補リストとパラメータ情報との不整合をエラーとして検出することができる。したがって、エラー耐性が向上する。
【００３１】
例えば、前記パラメータ情報復号部は、前記パラメータ候補リストから前記復号対象ユニットの復号に用いられる前記パラメータを特定するための前記パラメータ情報を復号し、前記エラー検出部は、前記パラメータ情報復号部で復号された前記パラメータ情報により特定される前記パラメータが前記パラメータ候補リストに存在しない前記状態を前記エラーとして検出してもよい。
【００３２】
これにより、画像復号装置は、パラメータ情報によって特定されるパラメータがパラメータ候補リストに存在しない状態をエラーとして検出することができる。したがって、エラー耐性が向上する。
【００３３】
また、例えば、前記パラメータ情報復号部は、前記１以上のパラメータ候補の最大数を示す前記パラメータ情報を復号し、前記エラー検出部は、前記パラメータ候補生成部で生成された前記パラメータ候補リストに含まれる前記１以上のパラメータ候補の候補数が、前記パラメータ情報復号部で復号された前記パラメータ情報により示される前記最大数よりも大きい前記状態を前記エラーとして検出してもよい。
【００３４】
これにより、画像復号装置は、候補数が多すぎる状態をエラーとして検出することができる。したがって、エラー耐性が向上する。
【００３５】
また、例えば、前記パラメータ情報復号部は、前記パラメータ候補リストから前記復号対象ユニットの復号に用いられる前記パラメータを特定するための番号を示す前記パラメータ情報を復号し、前記エラー検出部は、前記パラメータ情報復号部で復号された前記パラメータ情報により示される前記番号が、前記パラメータ候補リストに含まれる前記１以上のパラメータ候補の最大数よりも大きい前記状態を前記エラーとして検出してもよい。
【００３６】
これにより、画像復号装置は、候補を特定するための番号が候補数よりも大きい状態をエラーとして検出することができる。したがって、エラー耐性が向上する。
【００３７】
また、例えば、前記複数のユニットのそれぞれは、予測ユニットでもよい。
【００３８】
これにより、予測ユニットに対応するパラメータのエラーが適切に検出される。したがって、予測に関するエラー耐性が向上する。
【００３９】
また、例えば、前記パラメータ候補リストに含まれる前記１以上のパラメータ候補のそれぞれは、予測動きベクトル候補でもよい。
【００４０】
これにより、予測動きベクトルに関するエラーが適切に検出される。したがって、インター予測に関するエラー耐性が向上する。
【００４１】
また、例えば、前記パラメータ候補リストに含まれる前記１以上のパラメータ候補のそれぞれは、面内予測モード候補でもよい。
【００４２】
これにより、面内予測モードに関するエラーが適切に検出される。したがって、イントラ予測に関するエラー耐性が向上する。
【００４３】
また、例えば、前記画像復号装置は、さらに、前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、前記画像復号部は、前記エラー検出部により前記エラーが検出された場合でも、前記符号化ストリームの復号を継続してもよい。
【００４４】
これにより、エラーが発生した場合でも、復号処理の停止が回避される。したがって、エラーの弊害が低減する。
【００４５】
また、例えば、前記画像復号部は、前記エラー検出部により前記エラーが検出された場合、前記エラーを隠蔽して、前記符号化ストリームの復号を継続してもよい。
【００４６】
これにより、エラーが発生した場合でも、エラーが隠蔽される。したがって、エラーの弊害が低減する。
【００４７】
また、例えば、前記画像復号部は、前記エラー検出部により前記エラーが検出された場合、前記パラメータ候補リストから代替パラメータを特定し、特定された前記代替パラメータを用いて前記復号対象ユニットを復号することにより、前記エラーを隠蔽してもよい。
【００４８】
これにより、リストから特定された代替パラメータが用いられる。したがって、適切にエラーが隠蔽される。
【００４９】
また、例えば、前記画像復号部は、前記エラー検出部により前記エラーが検出された場合、予め定められた代替パラメータを用いて前記復号対象ユニットを復号することにより、前記エラーを隠蔽してもよい。
【００５０】
これにより、予め定められた代替パラメータが用いられる。したがって、適切にエラーが隠蔽される。
【００５１】
また、例えば、前記画像復号部は、前記エラー検出部により前記エラーが検出された場合、前記復号対象ユニットとは異なるユニットを復号することにより、前記符号化ストリームの復号を継続してもよい。
【００５２】
これにより、エラーが検出されないユニットが復号される。したがって、エラーの弊害が低減する。
【００５３】
また、本発明の一態様に係る画像復号装置は、複数のユニットに分割された画像の符号化ストリームを復号する画像復号装置であって、１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成部と、前記符号化ストリームに含まれる情報であり、前記１以上のパラメータ候補に関する情報であるパラメータ情報を復号するパラメータ情報復号部と、前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、前記画像復号部は、前記パラメータ候補生成部で生成された前記パラメータ候補リストに、前記パラメータ情報復号部で復号された前記パラメータ情報が整合しない場合でも、前記符号化ストリームの復号を継続する画像復号装置でもよい。
【００５４】
これにより、パラメータ候補リストとパラメータ情報とが整合しない場合でも、復号が継続される。したがって、エラー耐性が向上する。
【００５５】
例えば、前記画像復号部は、前記パラメータ候補リストに前記パラメータ情報が整合しない場合、代替パラメータを用いて前記復号対象ユニットを復号することにより、前記符号化ストリームの復号を継続してもよい。
【００５６】
これにより、パラメータ候補リストとパラメータ情報とが整合しない場合、代替パラメータが用いられる。したがって、画像復号装置は、適切に、復号を継続できる。
【００５７】
また、例えば、前記画像復号部は、前記パラメータ候補リストに前記パラメータ情報が整合しない場合、前記復号対象ユニットとは異なるユニットを復号することにより、前記符号化ストリームの復号を継続してもよい。
【００５８】
これにより、パラメータ候補リストとパラメータ情報とが整合しない場合、他のユニットが復号される。したがって、画像復号装置は、適切に、復号を継続できる。
【００５９】
さらに、これらの包括的または具体的な態様は、システム、方法、集積回路、コンピュータプログラムまたはコンピュータ読み取り可能なＣＤ−ＲＯＭなどの非一時的な記録媒体で実現されてもよく、システム、装置、方法、集積回路、コンピュータプログラムおよび記録媒体の任意な組み合わせで実現されてもよい。
【００６０】
以下、本発明の実施の形態について、図面を用いて詳細に説明する。なお、以下で説明する実施の形態は、いずれも包括的または具体的な例を示す。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００６１】
また、６４×６４画素、および、３２×３２画素等の表現は、それぞれ、６４画素×６４画素、および、３２画素×３２画素等のサイズを意味する。
【００６２】
また、以下において、ブロック、データ単位および符号化ユニット（ＣＵ）等の表現は、それぞれ、まとまった領域を意味する。それらは、それぞれ、画像領域を意味する場合もある。あるいは、それらは、それぞれ、符号化ストリームにおけるデータ領域を意味する場合もある。
【００６３】
また、画像は、画像、静止画像、動画像を構成する複数のピクチャ、１つのピクチャ、および、ピクチャの一部等のいずれでもよい。
【００６４】
また、ユニットを復号するとは、ユニット内の画像を復号することを意味する。復号には、可変長復号、逆量子化、逆周波数変換、予測、再構成およびフィルタ処理が含まれてもよい。
【００６５】
（実施の形態１）
まず、本実施の形態に係る画像復号装置の概要について説明する。本実施の形態に係る画像復号装置は、予測を用いて符号化された予測ユニットを含む符号化ストリームを、予測パラメータ候補リストと予測パラメータ識別情報を用いて復号する。
【００６６】
その際、画像復号装置は、予測パラメータ候補リストに予測パラメータ識別情報が示す予測パラメータ候補があるか否かを判定し、予測パラメータ候補リストに予測パラメータ識別情報が示す予測パラメータ候補がない状態をエラーとして検出する。
【００６７】
これにより、画像復号装置は、予測ユニット毎にエラーの検出を行えるため、エラー耐性を高めることができる。
【００６８】
以上が本実施の形態に係る画像復号装置の概要についての説明である。
【００６９】
次に、本実施の形態に係る画像復号装置の構成について説明する。
【００７０】
図２は、本実施の形態に係る画像復号装置の構成を示すブロック図である。図２に示すように、本実施の形態に係る画像復号装置５００は、制御部５０１、フレームメモリ５０２、再構成画像メモリ５０９、可変長復号部５０３、逆量子化部５０４、逆周波数変換部５０５、動き補償部５０６、面内予測部５０７、再構成部５０８、インループフィルタ部５１０、および動きベクトル演算部５１１を備える。
【００７１】
制御部５０１は、画像復号装置５００全体を制御する。フレームメモリ５０２は、復号された画像データを記憶するためのメモリである。再構成画像メモリ５０９は、生成された再構成画像の一部を記憶するためのメモリである。
【００７２】
可変長復号部５０３は、符号化ストリームを読み込み、可変長符号を復号する。また、可変長復号部５０３は、パラメータ情報復号部として動作し、符号化ストリームに含まれる情報であり、パラメータ候補に関する情報であるパラメータ情報を復号する。例えば、パラメータ情報は、予測動きベクトルを特定するための予測動きベクトル候補識別情報（識別番号）である。
【００７３】
逆量子化部５０４は、復号された係数情報を逆量子化して周波数係数に復元する。逆周波数変換部５０５は、周波数係数に対して逆離散コサイン変換などの逆周波数変換を行うことによって、周波数係数を差分画像に変換する。
【００７４】
動きベクトル演算部５１１は、パラメータ候補生成部として動作し、パラメータ候補リストを生成する。例えば、動きベクトル演算部５１１は、復号対象予測ユニットに隣接する復号済み予測ユニットで用いられた動きベクトルを用いて、予測動きベクトル候補リストを生成する。予測動きベクトル候補リストは、復号対象予測ユニットの復号に用いられる予測動きベクトルの候補である予測動きベクトル候補を含む。
【００７５】
また、動きベクトル演算部５１１は、予測動きベクトル候補リストから予測動きベクトルを特定する。そして、動きベクトル演算部５１１は、特定された予測動きベクトルを用いて動きベクトルを算出する。具体的には、動きベクトル演算部５１１は、予測動きベクトルと差分動きベクトルとを加算することにより、動きベクトルを算出する。そして、動きベクトル演算部５１１は、算出された動きベクトルを動き補償部５０６に出力する。
【００７６】
また、動きベクトル演算部５１１は、エラー検出部としても動作し、予測動きベクトル候補リストに予測動きベクトル候補識別情報によって特定される予測動きベクトルがあるか否かを判定することで、エラーを検出する。
【００７７】
なお、動きベクトル、予測動きベクトルおよび予測動きベクトル候補は、それぞれ、参照ピクチャの情報と組み合わされてもよい。例えば、予測動きベクトル候補リストは、予測動きベクトル候補と共に、予測動きベクトル候補に対応する参照ピクチャの情報を有してもよい。また、動きベクトル演算部５１１は、予測動きベクトルと共に、予測動きベクトルに対応する参照ピクチャの情報を特定してもよい。
【００７８】
動き補償部５０６は、フレームメモリ５０２から参照画像を読み出して、動き補償を行い、予測画像を生成する。面内予測部５０７は、再構成画像メモリ５０９から参照画像を読み出して、面内予測（イントラ予測ともいう）を行い、予測画像を生成する。再構成部５０８は、差分画像と予測画像とを加算して再構成画像を生成し、その一部を再構成画像メモリ５０９に格納する。インループフィルタ部５１０は、再構成画像のブロックノイズを除去し、再構成画像を高画質化する。
【００７９】
図３は、本実施の形態に係る動き補償部５０６周辺の構成を示すブロック図である。図２と同様の構成要素には同じ符号を割り当て、説明を省略する。図３に示すように、本実施の形態に係る動き補償部５０６は、ＤＭＡ制御部（Ｄｉｒｅｃｔ  Ａｃｃｅｓｓ  Ｍｅｍｏｒｙ制御部）５１２、参照画像記憶部５１３、予測画像記憶部５１４、動きベクトル記憶部５１５、および、動き補償処理部５１６を備える。
【００８０】
ＤＭＡ制御部５１２は、復号対象予測ユニットの座標およびサイズの情報に基づいてフレームメモリ５０２からｃｏｌＰＵ情報を動きベクトル記憶部５１５へ転送することにより、ｃｏｌＰＵ情報を動きベクトル記憶部５１５に格納する。また、ＤＭＡ制御部５１２は、動きベクトル演算部５１１によって算出された動きベクトルで示される参照画像をフレームメモリ５０２から参照画像記憶部５１３へ転送することにより、参照画像を参照画像記憶部５１３に格納する。また、動き補償処理部５１６は、生成された予測画像を予測画像記憶部５１４に格納する。
【００８１】
以上が、本実施の形態に係る画像復号装置５００の構成についての説明である。
【００８２】
次に、本実施の形態に係る画像復号装置５００が復号する符号化ストリーム構成について説明する。画像復号装置５００が復号する符号化ストリームは、符号化ユニット（ＣＵ）と、変換ユニット（ＴＵ）と、予測ユニット（ＰＵ）とで構成される。
【００８３】
符号化ユニット（ＣＵ）は、６４×６４画素〜８×８画素のサイズで設定され、面内予測とインター予測との切り替えが可能なデータ単位である。変換ユニット（ＴＵ）は、符号化ユニット（ＣＵ）の内部で３２×３２画素〜４×４画素のサイズで設定される。予測ユニット（ＰＵ）は、符号化ユニット（ＣＵ）の内部で６４×６４画素〜４×４画素のサイズで設定され、面内予測のモード、または、インター予測の動きベクトルを有する。以下、図４Ａ〜図６Ｃを用いて符号化ストリームの構成について説明する。
【００８４】
図４Ａは、本実施の形態に係るシーケンスの一例を示す図であり、図４Ｂは、ピクチャの一例を示す図である。図４Ａに示すように、複数のピクチャのまとまりをシーケンスと呼ぶ。また、図４Ｂに示すように、各ピクチャはスライスに分割され、各スライスはさらに符号化ユニット（ＣＵ）に分割される。ピクチャはスライスに分割されない場合もある。
【００８５】
本実施の形態において、最大符号化ユニット（ＬＣＵ）のサイズは、６４×６４画素である。
【００８６】
図４Ｃは、本実施の形態に係る符号化ストリームの一例を示す図である。図４Ａおよび図４Ｂに示されたデータが階層的に符号化されることにより、図４Ｃに示された符号化ストリームが得られる。
【００８７】
図４Ｃに示された符号化ストリームは、シーケンスを制御するシーケンスヘッダ、ピクチャを制御するピクチャヘッダ、スライスを制御するスライスヘッダ、および、符号化ユニットレイヤデータ（ＣＵレイヤデータ）で構成される。なお、Ｈ．２６４規格では、シーケンスヘッダをＳＰＳ（Ｓｅｑｕｅｎｃｅ  Ｐａｒａｍｅｔｅｒ  Ｓｅｔ）、ピクチャヘッダをＰＰＳ（Ｐｉｃｔｕｒｅ  Ｐａｒａｍｅｔｅｒ  Ｓｅｔ）と呼んでいる。
【００８８】
次に、本実施の形態の説明に使用する符号化ユニットと符号化ストリームの構成について、図５Ａおよび図５Ｂを用いて説明する。図５Ａは本実施の形態に係る符号化ユニットの一例を示す図であり、図５Ｂは符号化ストリームの符号化ユニットレイヤデータの一例を示す図である。
【００８９】
符号化ストリームの符号化ユニットレイヤデータは、図５Ｂに示すように、ＣＵ分割フラグとＣＵデータとで構成される。このＣＵ分割フラグは、「１」の場合、ブロックを４分割することを示し、「０」の場合、ブロックを４分割しないことを示す。図５Ａに示された６４×６４画素の符号化ユニットは分割されない。すなわち、ＣＵ分割フラグは「０」である。
【００９０】
次に、ＣＵデータについて説明する。図６Ａは、本実施の形態に係るＣＵデータの例を示す図である。図６Ｂは、本実施の形態に係る予測ユニットのサイズの例を示す図である。図６Ｃは、本実施の形態に係る変換ユニットのサイズの例を示す図である。
【００９１】
図６Ａに示すように、ＣＵデータは、ＣＵタイプを含み、さらに、動きベクトルまたは面内予測モードを含む。ＣＵタイプによって、予測ユニットのサイズが決定されてもよい。
【００９２】
図６Ｂに示すように、予測ユニットの選択可能なサイズは、例えば、６４×６４画素、１６×６４画素、３２×６４画素、４８×６４画素、６４×１６画素、６４×３２画素、６４×４８画素、３２×３２画素、８×３２画素、１６×３２画素、２４×３２画素、３２×８画素、３２×１６画素、３２×２４画素、１６×１６画素、４×１６画素、８×１６画素、１２×１６画素、１６×４画素、１６×８画素、１６×１２画素、８×８画素、２×８画素、４×８画素、６×８画素、８×２画素、８×４画素、８×６画素、および、４×４画素である。
【００９３】
このように、予測ユニットのサイズは、４×４画素以上のサイズから選択可能である。また、予測ユニットの形状は、長方形でもよい。予測ユニット毎に動きベクトルまたは面内予測モードが指定される。本実施の形態では、動きベクトルのみが用いられるため、図６Ａの例では動きベクトルのみが示されている。また、図６Ｂの通り、正方形を１：３に分割することにより得られる１６×６４画素および４８×６４画素等の予測ユニットが選択可能である。
【００９４】
図６Ｃに示すように、変換ユニットの選択可能なサイズは、例えば、３２×３２画素、８×３２画素、１６×３２画素、２４×３２画素、３２×８画素、３２×１６画素、３２×２４画素、１６×１６画素、４×１６画素、８×１６画素、１２×１６画素、１６×４画素、１６×８画素、１６×１２画素、８×８画素、２×８画素、４×８画素、６×８画素、８×２画素、８×４画素、８×６画素、および、４×４画素である。図６Ｃの通り、正方形を１：３に分割することにより得られる８×３２画素および２４×３２画素等の変換ユニットが選択可能である。
【００９５】
なお、上記で説明された予測ユニットのサイズおよび変換ユニットのサイズは、一例である。予測ユニットのサイズおよび変換ユニットのサイズは、上記で説明された予測ユニットのサイズおよび変換ユニットのサイズに限られない。
【００９６】
次に、図７に示すフローチャートを用いて、図２に示した画像復号装置５００の動作を説明する。図７は、符号化ストリームに含まれる１つのシーケンスの復号動作を示すフローチャートである。
【００９７】
図７に示すように、画像復号装置５００は、まず、シーケンスヘッダを復号する（Ｓ９０１）。具体的には、可変長復号部５０３は、制御部５０１の制御に基づいて、符号化ストリームに含まれるシーケンスヘッダを復号する。次に、画像復号装置５００は、同様に、ピクチャヘッダを復号し（Ｓ９０２）、スライスヘッダを復号する（Ｓ９０３）。
【００９８】
次に、画像復号装置５００は、符号化ユニットを復号する（Ｓ９０４）。符号化ユニットの復号については後で詳しく説明する。画像復号装置５００は、符号化ユニットの復号後、復号された符号化ユニットがスライス最後の符号化ユニットであるか否かを判定する（Ｓ９０５）。そして、復号された符号化ユニットがスライス最後の符号化ユニットでない場合（Ｓ９０５でＮｏ）、再度、画像復号装置５００は、次の符号化ユニットを復号する（Ｓ９０４）。
【００９９】
さらに、復号された符号化ユニットがスライス最後の符号化ユニットである場合（Ｓ９０５でＹｅｓ）、画像復号装置５００は、復号された符号化ユニットを含むスライスがピクチャ最後のスライスであるか否かを判定する（Ｓ９０６）。そして、ピクチャ最後のスライスでない場合（Ｓ９０６でＮｏ）、画像復号装置５００は、再度、スライスヘッダを復号する（Ｓ９０３）。
【０１００】
さらに、ピクチャ最後のスライスである場合（Ｓ９０６でＹｅｓ）、画像復号装置５００は、復号された符号化ユニットを含むピクチャがシーケンス最後のピクチャであるか否かを判定する（Ｓ９０７）。そして、シーケンス最後のピクチャでない場合（Ｓ９０７でＮｏ）、画像復号装置５００は、再度、ピクチャヘッダを復号する（Ｓ９０２）。画像復号装置５００は、シーケンスの全てのピクチャの復号後、一連の復号動作を終了する。
【０１０１】
次に、図８に示すフローチャートを用いて、図７の符号化ユニットの復号（Ｓ９０４）の動作を説明する。図８は、１つの符号化ユニットの復号動作を示すフローチャートである。
【０１０２】
まず、可変長復号部５０３は、入力された符号化ストリームに含まれる処理対象符号化ユニットについて、可変長復号を行う（Ｓ１００１）。
【０１０３】
そして、可変長復号部５０３は、可変長復号で得られた符号化情報を出力する。例えば、符号化情報は、符号化ユニットタイプ、面内予測（イントラ予測）モード、動きベクトル、量子化パラメータ、符号化ユニットのサイズと処理順序、予測ユニットサイズと処理順序、および、変換ユニットのサイズと処理順序などを含む。可変長復号部５０３は、さらに、各画素データに対応する係数情報を出力する。
【０１０４】
符号化情報は、制御部５０１に出力され、その後、各処理部に入力される。係数情報は、逆量子化部５０４に出力される。次に、逆量子化部５０４は、係数情報に対して逆量子化処理を行って周波数係数に復元する（Ｓ１００２）。その後、逆周波数変換部５０５は、周波数係数に対して逆周波数変換を行って差分画像を生成する（Ｓ１００３）。
【０１０５】
次に、制御部５０１は、処理対象符号化ユニットにインター予測が用いられるか、面内予測が用いられるかを判定する（Ｓ１００４）。
【０１０６】
インター予測が用いられる場合（Ｓ１００４でＹｅｓ）、制御部５０１は動きベクトル演算部５１１を起動する。そして、動きベクトル演算部５１１は、動きベクトルを算出し、算出された動きベクトルにより示される参照画像をフレームメモリ５０２から参照画像記憶部５１３に転送する（Ｓ１００５）。次に、制御部５０１は、動き補償部５０６を起動する。そして、動き補償部５０６は、１／２画素精度または１／４画素精度等の予測画像を生成する（Ｓ１００６）。
【０１０７】
一方、インター予測が用いられない場合（Ｓ１００４でＮｏ）、すなわち、面内予測が用いられる場合、制御部５０１は、面内予測部５０７を起動する。そして、面内予測部５０７は、面内予測を行い、予測画像を生成する（Ｓ１００７）。
【０１０８】
再構成部５０８は、動き補償部５０６または面内予測部５０７によって出力された予測画像と、逆周波数変換部５０５によって出力された差分画像とを加算することにより、再構成画像を生成する（Ｓ１００８）。
【０１０９】
生成された再構成画像は、インループフィルタ部５１０に入力される。同時に、再構成画像のうち面内予測で用いられる部分は、再構成画像メモリ５０９に格納される。最後に、インループフィルタ部５１０は、得られた再構成画像に対して、ブロックノイズを低減するためのインループフィルタ処理を行う。そして、インループフィルタ部５１０は、フレームメモリ５０２に、インループフィルタ処理が行われた再構成画像を格納する（Ｓ１００９）。以上で、符号化ユニットの復号動作が終了する。
【０１１０】
次に、動きベクトル演算部５１１の動作について詳細に説明する。図９は、動きベクトル演算部５１１がエラーを検出する動作を示すフローチャートである。
【０１１１】
まず、動きベクトル演算部５１１は、復号済み空間隣接予測ユニットから予測動きベクトル候補を算出する（Ｓ１１００）。図１０は、復号済み空間隣接予測ユニットから予測動きベクトル候補を算出する動作を示すフローチャートである。また、図１１は、復号対象予測ユニットとその空間隣接予測ユニットとの関係を示す図である。
【０１１２】
復号済み空間隣接予測ユニットから予測動きベクトル候補が算出される際、具体的には、図１１に示された復号対象予測ユニットの左下（Ａ０）、左（Ａ１）、右上（Ｂ０）、上（Ｂ１）または左上（Ｂ２）に位置する画素を含むＰＵの動きベクトルが用いられる。予測動きベクトル候補の算出には、ＰＵの動きベクトルに対応する参照ピクチャ、および、ＰＵが面内予測で符号化されているか動き補償で符号化されているかを示す予測モードの情報が用いられてもよい。
【０１１３】
まず、動きベクトル演算部５１１は、隣接位置Ａ０、Ａ１、Ｂ１およびＢ２の予測ユニットの動きベクトルが全て利用可能か否か判定する（Ｓ１２００）。ここで、全ての予測ユニットが利用可能である場合（Ｓ１２００でＹｅｓ）、図１２に示すように、動きベクトル演算部５１１は、隣接位置Ｂ０の予測ユニットの動きベクトルを利用不可能と判定する（Ｓ１２０１）。
【０１１４】
次に、動きベクトル演算部５１１は、隣接位置Ａ０、Ａ１、Ｂ０、Ｂ１およびＢ２の予測ユニットが、それぞれ、利用可能かつインター予測であるか否かを判定する（Ｓ１２０２）。ここで、予測ユニットが利用不可能またはイントラ予測である場合（Ｓ１２０２でＮｏ）、動きベクトル演算部５１１は、該当する予測ユニットの動きベクトルを利用不可能と判定する（Ｓ１２０３）。
【０１１５】
次に、動きベクトル演算部５１１は、復号対象予測ユニットを含む符号化ユニットが水平分割されていて、かつ、復号対象ブロックの予測ユニットが下側に位置するか否かを判定する（Ｓ１２０４）。ここで、符号化ユニットが水平分割されていて、かつ、復号対象ブロックの予測ユニットが下側に位置している場合（Ｓ１２０４でＹｅｓ）、図１３Ａに示すように、動きベクトル演算部５１１は、隣接位置Ｂ１の予測ユニットの動きベクトルを利用不可能と判定する（Ｓ１２０５）。
【０１１６】
次に、動きベクトル演算部５１１は、復号対象予測ユニットを含む符号化ユニットが垂直分割されていて、かつ、復号対象ブロックの予測ユニットが右側に位置するか否かを判定する（Ｓ１２０６）。ここで、符号化ユニットが垂直分割されていて、かつ、復号対象ブロックの予測ユニットが右側に位置している場合（Ｓ１２０６でＹｅｓ）、図１３Ｂに示すように、動きベクトル演算部５１１は、隣接位置Ａ１の予測ユニットの動きベクトルを利用不可能と判定する（Ｓ１２０７）。
【０１１７】
次に、Ｓ１２００〜Ｓ１２０７の処理で、利用不可能と判定されなかった動きベクトルのそれぞれを予測動きベクトル候補に設定する（Ｓ１２０８）。
【０１１８】
次に、動きベクトル演算部５１１は、復号済み時間隣接予測ユニットから予測動きベクトル候補を算出する（Ｓ１１０１）。図１４は、復号済み時間隣接予測ユニットから予測動きベクトル候補を算出する動作を示すフローチャートである。また、図１５は、復号対象予測ユニットとその時間隣接予測ユニットの関係を示す図である。
【０１１９】
復号済み時間隣接予測ユニットから予測動きベクトル候補が算出される際、具体的には、図１５に示された第１のｃｏｌＰＵまたは第２のｃｏｌＰＵの動きベクトルが用いられる。第１のｃｏｌＰＵは、復号対象ピクチャに時間的に隣接するピクチャ（以後、ｃｏｌＰｉｃともいう）において、復号対象予測ユニットに隣接する座標に位置する予測ユニットである。第２のｃｏｌＰＵは、ｃｏｌＰｉｃにおいて、復号対象予測ユニットと同じ座標に位置する予測ユニットである。
【０１２０】
予測動きベクトル候補の算出において、ＰＵの動きベクトルに対応する参照ピクチャ、および、ＰＵが面内予測で符号化されているか動き補償で符号化されているかを示す予測モードの情報が用いられてもよい。
【０１２１】
まず、動きベクトル演算部５１１は、第１のｃｏｌＰＵまたは第２のｃｏｌＰＵが利用可能かつインター予測であるか否かを判定する（Ｓ１３００）。ここで、第１のｃｏｌＰＵおよび第２のｃｏｌＰＵが、利用不可能またはイントラ予測である場合（Ｓ１３００でＮｏ）、動きベクトル演算部５１１は、時間隣接位置の動きベクトルを利用不可能と判定する（Ｓ１３０１）。
【０１２２】
次に、動きベクトル演算部５１１は、時間隣接予測ユニットの動きベクトルから予測動きベクトルを算出し、算出された予測動きベクトルを予測動きベクトル候補に設定する（Ｓ１３０２）。
【０１２３】
図１６は、時間隣接位置の動きベクトルから予測動きベクトルを算出する方法の一例を示す図である。
【０１２４】
図１６に示された予測動きベクトルｍｖＬＸＣｏｌは、下記の式１が成立する場合、下記の式２で算出される。
【０１２５】
PicOrderCnt(colPic) - RefPicOrderCnt(refIdxCol, ListCol)
= PicOrderCnt(currPic) - RefPicOrderCnt(refIdxLX, LX)  
・・・（式１）
mvLXCol = mvCol  ・・・（式２）
【０１２６】
また、上記の式１が成立しない場合、予測動きベクトルｍｖＬＸＣｏｌは、下記の式３〜式８で算出される。
【０１２７】
tx = (16384 + Abs(td / 2)) / td  ・・・（式３）
DistScaleFactor = Clip3(-1024, 1023, (tb * tx + 32) >> 6)  
・・・（式４）
mvLXCol = ClipMv(Sign(DistScaleFactor * mvLXA) *
((Abs(DistScaleFactor * mvCol) + 128) >> 8 ))  
・・・（式５）
td = Clip3(-128, 127, PicOrderCnt(colPic)
- RefPicOrderCnt(refIdxCol, ListCol))  ・・・（式６）
tb = Clip3(-128, 127, PicOrderCnt(currPic)
- RefPicOrderCnt(refIdxLX, LX))  ・・・（式７）
【数１】
2013136678.tif 000003
【０１２８】
ここで、ＰｉｃＯｒｄｅｒＣｎｔ（Ｘ）は、ピクチャＸの表示順を示す。また、ＲｅｆＰｉｃＯｒｄｅｒＣｎｔ（ｒｅｆｉｄｘＹ，参照方向Ｚ）は、参照方向ＺにおいてｒｅｆｉｄｘＹで特定される参照画像の表示順を示す。
【０１２９】
次に、動きベクトル演算部５１１は、空間隣接予測ユニットおよび時間隣接予測ユニットから算出された複数の予測動きベクトル候補のうち、利用可能な予測動きベクトル候補を用いて予測動きベクトル候補リストを作成する（Ｓ１１０２）。
【０１３０】
例えば、動きベクトル演算部５１１は、Ａ１、Ｂ１、Ｂ０、Ｂ２およびＣｏｌの順に、ＰＵの動きベクトルを予測動きベクトル候補として予測動きベクトル候補リストに入れる。予測動きベクトル候補には、予測動きベクトル候補リストに入れられた順に、０番から、識別番号が割り当てられる。
【０１３１】
次に、動きベクトル演算部５１１は、予測動きベクトル候補リストから重複する動きベクトルを削除する（Ｓ１１０３）。例えば、動きベクトル演算部５１１は、識別番号の大きい予測動きベクトル候補を優先的に削除する。
【０１３２】
具体的には、図１７Ａに示される予測動きベクトル候補リストが作成され、Ｂ０の予測動きベクトル候補（ｍｖ＿Ｂ０）とＣｏｌの予測動きベクトル候補（ｍｖ＿ｃｏｌ）とが同じである場合、Ｃｏｌの予測動きベクトル候補（ｍｖ＿ｃｏｌ）が予測動きベクトル候補リストから削除される。この時、Ｂ０の予測ユニットの参照ピクチャを示すインデックス（ｒｅｆｉｄｘ＿Ｂ０）と、Ｃｏｌの予測ユニットの参照ピクチャを示すインデックス（ｒｅｆｉｄｘ＿ｃｏｌ）とが同じであることが条件に加えられてもよい。
【０１３３】
削除の結果、図１７Ｂに示される予測動きベクトル候補リストが作成される。なお、図１７Ａおよび図１７Ｂにおいて、ＮＡ（Ｎｏｔ  Ａｖａｉｌａｂｌｅ）は、識別番号に対応する予測動きベクトル候補が存在しない状態を示す。
【０１３４】
次に、動きベクトル演算部５１１は、予測動きベクトル候補リストに、予測動きベクトル候補識別情報（識別番号）によって示される予測動きベクトル候補が存在するか否かを判定する（Ｓ１１０４）。予測動きベクトル候補識別情報（識別番号）は、可変長復号部５０３で復号された予測パラメータ情報である。
【０１３５】
ここで、予測動きベクトル候補リストに識別番号で示される予測動きベクトル候補が存在しない場合（Ｓ１１０４でＮｏ）、動きベクトル演算部５１１は、予測動きベクトル候補が存在しないことをエラーとして検出する（Ｓ１１０６）。例えば、図１８に示される予測動きベクトル候補リストが作成され、識別番号が「０」または「１」以外である場合、動きベクトル演算部５１１は、予測動きベクトル候補が存在しないことをエラーとして検出する。
【０１３６】
一方、予測動きベクトル候補リストに識別番号で示される予測動きベクトル候補が存在する場合（Ｓ１１０４でＹｅｓ）、動きベクトル演算部５１１は、識別番号で示される予測動きベクトル候補を予測動きベクトルとして用いる（Ｓ１１０５）。
【０１３７】
以上の処理により、画像復号装置５００は、例えば、伝送時のビットの欠落、または、他のエラー処理に伴うデータの置き換え等で、適切な予測動きベクトル候補リストおよび予測動きベクトル候補識別情報が得られない状態をエラーとして検出することができる。これにより、エラー耐性が向上する。
【０１３８】
なお、本実施の形態において、動き補償部５０６の例が説明されている。しかし、面内予測部５０７が同様の処理を行ってもよい。その場合、動きベクトルに相当する予測パラメータとして、例えば、面内予測モードなどが用いられてもよい。もちろん、予測パラメータは、面内予測モードに限られない。
【０１３９】
また、予測ユニットの例が説明されている。しかし、処理の単位は、予測ユニットでなくてもよい。処理の単位は、符号化ユニットでもよいし、変換ユニットでもよいし、その他のユニットでもよい。
【０１４０】
また、空間隣接予測ユニットとして、図１１のような空間隣接予測ユニットが用いられているが、空間隣接予測ユニットは、図１１の空間隣接予測ユニットと同じでなくてもよい。図１１の空間隣接予測ユニットとは異なる位置の空間隣接予測ユニットが用いられてもよい。
【０１４１】
また、時間隣接予測ユニットとして、図１５のような時間隣接予測ユニットが用いられているが、時間隣接予測ユニットは、図１５の時間隣接予測ユニットと同じでなくてもよい。図１５の時間隣接予測ユニットとは異なる位置または時間の時間隣接予測ユニットが用いられてもよい。
【０１４２】
例えば、空間隣接予測ユニットおよび時間隣接予測ユニットは、復号済みユニットである。エラーが存在する場合、復号済みユニットから作成されたリストと、符号化ストリームから復号された情報に不一致が発生する可能性が高い。画像復号装置５００は、このような特性を利用してエラーを検出する。
【０１４３】
また、上記の通り、画像復号装置５００は、予測動きベクトル候補リスト内に予測動きベクトル候補識別情報が示す予測動きベクトル候補が存在しない状態をエラーとして検出する。画像復号装置５００は、予測動きベクトル候補リストに対して予め定められた最大サイズよりも、予測動きベクトル候補リストのサイズが大きい状態をエラーとして検出してもよい。予め定められた最大サイズは、符号化ストリームに予測パラメータ情報として含まれてもよい。
【０１４４】
また、画像復号装置５００は、予測動きベクトル候補リストの最大サイズよりも、復号された識別番号が大きい状態をエラーとして検出してもよい。また、画像復号装置５００は、予測動きベクトル候補リストに含まれる候補数よりも、復号された識別番号が大きい状態をエラーとして検出してもよい。
【０１４５】
また、各処理部の構成について、その一部あるいは全部が、専用ハードウェアによる回路で実現されてもよいし、プロセッサによって実行されるプログラムで実現されてもよい。
【０１４６】
また、フレームメモリ５０２、動きベクトル記憶部５１５、参照画像記憶部５１３および予測画像記憶部５１４は、メモリまたは記憶部として示されているが、これらは、データの記憶が可能な記憶素子であればどのような記憶素子でもよい。これらは、メモリ、フリップフロップまたはレジスタなどであってもよいし、他の構成であってもよい。さらには、プロセッサのメモリ領域の一部、または、キャッシュメモリの一部が用いられてもよい。
【０１４７】
また、上記において示された符号ユニット（ＣＵ）、予測ユニット（ＰＵ）、および、変換ユニット（ＴＵ）のサイズおよび形状は例である。符号ユニット（ＣＵ）、予測ユニット（ＰＵ）、および、変換ユニット（ＴＵ）のサイズおよび形状は上記の例に限られない。
【０１４８】
（実施の形態２）
まず、本実施の形態に係る画像復号装置の概要について説明する。本実施の形態に係る画像復号装置は、予測を用いて符号化された予測ユニットを含む符号化ストリームを、予測パラメータ候補リストと予測パラメータ識別情報を用いて復号する。
【０１４９】
その際、画像復号装置は、予測パラメータ候補リストに予測パラメータ識別情報が示す予測パラメータ候補があるか否かを判定し、予測パラメータ候補リストに予測パラメータ識別情報が示す予測パラメータ候補がない状態をエラーとして検出する。そして、画像復号装置は、検出されたエラーを隠蔽する。
【０１５０】
これにより、画像復号装置は、予測ユニット毎にエラーを検出し、検出されたエラーを隠蔽する。したがって、画像復号装置は、エラー耐性を高めることができる。
【０１５１】
本実施の形態に係る画像復号装置は、実施の形態１に係る処理に加え、エラー隠蔽の処理を行うことにより、エラーが含まれる場合でも、画質の劣化を抑え、復号を継続することができる。
【０１５２】
以上が本実施の形態に係る画像復号装置の概要についての説明である。
【０１５３】
次に、本実施の形態に係る画像復号装置の構成について説明する。図２は本実施の形態に係る画像復号装置の構成を示すブロック図である。本実施の形態に係る画像復号装置５００の構成は、実施の形態１と同様であるので、説明を省略する。
【０１５４】
図３は、本実施の形態に係る動き補償部５０６周辺の構成を示すブロック図である。本実施の形態に係る動き補償部５０６周辺の構成は、実施の形態１と同様であるので、説明を省略する。
【０１５５】
以上が、本実施の形態に係る画像復号装置５００の構成についての説明である。
【０１５６】
本実施の形態では、実施の形態１と同様に、図４Ａ〜図６Ｃに示された符号化ストリームの構造が用いられる。本実施の形態に係る全体の動作フローは、図７および図８に示された実施の形態１に係る全体の動作フローと同様であるので、説明を省略する。
【０１５７】
図３に示された動きベクトル演算部５１１の動作について図１９を用いて説明する。図１９は、動きベクトル演算部５１１においてエラー検出およびエラー隠蔽を行う動作を示すフローチャートである。
【０１５８】
ステップＳ１１００からステップＳ１１０６までの動作は、実施の形態１と同様であるので説明を省略する。
【０１５９】
本実施の形態では、ステップＳ１１０６にてエラーが検出された場合、動きベクトル演算部５１１は、予測動きベクトル候補リストのうちいずれかの予測動きベクトル候補を予測動きベクトルとして利用する（Ｓ１１０７）。ここで、動きベクトル演算部５１１は、予測動きベクトル候補リストから、予測動きベクトルとして利用される予測動きベクトル候補をどのように選択してもよい。
【０１６０】
例えば、動きベクトル演算部５１１は、最小の識別番号（０）が割り当てられた予測動きベクトル候補を予測動きベクトルとして選択してもよい。または、動きベクトル演算部５１１は、予測動きベクトル候補リストから、最大の識別番号が割り当てられた予測動きベクトル候補を予測動きベクトルとして選択してもよい。
【０１６１】
以上の処理により、エラーが含まれる場合でも、空間的または時間的に相関の高い予測動きベクトルが用いられる。したがって、画像復号装置５００は、画質の劣化を抑え、復号を継続することができる。
【０１６２】
なお、本実施の形態において、エラー隠蔽方法の一例として、予測動きベクトル候補リストに含まれる予測動きベクトル候補が予測動きベクトルとして利用される。しかしながら、予測動きベクトルは、予測動きベクトル候補リストに含まれる予測動きベクトル候補でなくてもよい。例えば、予測動きベクトルとして所定の固定値が用いられてもよい。具体的には、大きさが０である予測動きベクトルが用いられてもよい。この場合、予測動きベクトルに対応する参照ピクチャも、所定の基準に従って選択されてもよい。
【０１６３】
また、メモリに残存している予測動きベクトルが用いられてもよい。また、画像復号装置５００は、予測動きベクトルを用いずに、復号済み画像で復号対象予測ユニットの画素を埋めてもよい。また、画像復号装置５００は、別のスライスまで処理をスキップしてもよいし、別のピクチャまで処理をスキップしてもよいし、別のシーケンスまで処理をスキップしてもよい。また、画像復号装置５００は、その他の方法で復号を継続してもよい。
【０１６４】
また、上記では、動き補償の例が説明されている。しかし、画面内予測に同様の処理が適用されてもよい。その際、予測動きベクトルに相当する予測パラメータとして、例えば、画面内予測モードなどが用いられてもよい。もちろん、予測パラメータは、面内予測モードに限られない。
【０１６５】
また、各処理部の構成について、その一部あるいは全部が、専用ハードウェアによる回路で実現されてもよいし、プロセッサにより実行されるプログラムで実現されてもよい。
【０１６６】
また、フレームメモリ５０２、動きベクトル記憶部５１５、参照画像記憶部５１３および予測画像記憶部５１４は、メモリまたは記憶部として示されているが、これらは、データの記憶が可能な記憶素子であればどのような記憶素子でもよい。これらは、メモリ、フリップフロップまたはレジスタなどであってもよいし、他の構成でもよい。さらには、プロセッサのメモリ領域の一部、または、キャッシュメモリの一部が用いられてもよい。
【０１６７】
また、上記において示された符号ユニット（ＣＵ）、予測ユニット（ＰＵ）、および、変換ユニット（ＴＵ）のサイズおよび形状は例である。符号ユニット（ＣＵ）、予測ユニット（ＰＵ）および変換ユニット（ＴＵ）のサイズおよび形状は、上記の例に限られない。
【０１６８】
（実施の形態３）
本実施の形態では、実施の形態１に示した画像復号装置を、典型的には半導体集積回路であるＬＳＩとして実現する。実現した形態を図２０に示す。フレームメモリ５０２をＤＲＡＭ上に実現し、その他の回路およびメモリをＬＳＩ上に構成している。
【０１６９】
これらは個別に１チップ化されてもよいし、一部または全てを含むように１チップ化されてもよい。ここではＬＳＩとしたが、集積度の違いにより、ＩＣ、システムＬＳＩ、スーパーＬＳＩ、ウルトラＬＳＩと呼称されることもある。
【０１７０】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定を再構成可能なリコンフィギュラブル・プロセッサを利用してもよい。
【０１７１】
さらには、半導体技術の進歩または派生する別技術によりＬＳＩに置き換わる集積回路化の技術が登場すれば、当然、その技術を用いて機能ブロックの集積化を行ってもよい。バイオ技術の適応などが可能性として有り得る。
【０１７２】
さらに加えて、本実施の形態の画像復号装置を集積化した半導体チップと、画像を描画するためのディスプレイとを組み合せて、様々な用途に応じた描画機器を構成することができる。携帯電話、テレビ、デジタルビデオレコーダー、デジタルビデオカメラおよびカーナビゲーション等における情報描画手段として、本発明を利用することが可能である。ディスプレイとしては、ブラウン管（ＣＲＴ）の他、液晶、ＰＤＰ（プラズマディスプレイパネル）および有機ＥＬなどのフラットディスプレイ、プロジェクターを代表とする投射型ディスプレイなどと組み合わせることが可能である。
【０１７３】
また、本実施の形態におけるＬＳＩは、ＤＲＡＭ（Ｄｙｎａｍｉｃ  Ｒａｎｄｏｍ  Ａｃｃｅｓｓ  Ｍｅｍｏｒｙ）と連携することにより、復号処理を行ってもよい。また、本実施の形態におけるＬＳＩは、ＤＲＡＭではなく、ｅＤＲＡＭ（ｅｍｂｅｄｅｄ  ＤＲＡＭ）、ＳＲＡＭ（Ｓｔａｔｉｃ  Ｒａｎｄｏｍ  Ａｃｃｅｓｓ  Ｍｅｍｏｒｙ）、または、ハードディスクなど他の記憶装置と連携しても構わない。
【０１７４】
（実施の形態４）
本実施の形態では、上記の複数の実施の形態で示された特徴的な構成および特徴的な手順が確認的に示される。
【０１７５】
図２１は、本実施の形態に係る画像復号装置の構成を示すブロック図である。図２１に示された画像復号装置１００は、複数のユニットに分割された画像の符号化ストリームを復号する。
【０１７６】
具体的には、画像復号装置１００は、パラメータ候補生成部１０１、パラメータ情報復号部１０２、および、エラー検出部１０３を備える。例えば、図２１に示されたパラメータ候補生成部１０１およびエラー検出部１０３は、図２に示された動きベクトル演算部５１１に対応する。図２１に示されたパラメータ情報復号部１０２は、図２に示された可変長復号部５０３に対応する。
【０１７７】
図２２は、図２１に示された画像復号装置１００の動作を示すフローチャートである。まず、パラメータ候補生成部１０１は、１以上の復号済みユニットの復号に用いられた１以上のパラメータを用いて、パラメータ候補リストを生成する（Ｓ１０１）。パラメータ候補リストは、それぞれが復号対象ユニットの復号に用いられるパラメータの候補である１以上のパラメータ候補を含む。
【０１７８】
次に、パラメータ情報復号部１０２は、パラメータ情報を復号する（Ｓ１０２）。パラメータ情報は、符号化ストリームに含まれる情報であり、１以上のパラメータ候補に関する情報である。
【０１７９】
そして、エラー検出部１０３は、パラメータ候補生成部１０１で生成されたパラメータ候補リストに、パラメータ情報復号部１０２で復号されたパラメータ情報が整合しない状態をエラーとして検出する（Ｓ１０３）。
【０１８０】
これにより、画像復号装置１００は、パラメータ候補リストとパラメータ情報との不整合をエラーとして検出することができる。したがって、エラー耐性が向上する。
【０１８１】
例えば、複数のユニットのそれぞれは、予測ユニットである。パラメータ候補は、予測動きベクトル候補でもよいし、面内予測モード候補でもよい。
【０１８２】
また、例えば、パラメータ情報復号部１０２は、パラメータ候補リストから復号対象ユニットの復号に用いられるパラメータを特定するためのパラメータ情報を復号してもよい。そして、エラー検出部１０３は、パラメータ情報復号部１０２で復号されたパラメータ情報により特定されるパラメータがパラメータ候補リストに存在しない状態をエラーとして検出してもよい。
【０１８３】
また、例えば、パラメータ情報復号部１０２は、１以上のパラメータ候補の最大数を示すパラメータ情報を復号してもよい。そして、エラー検出部１０３は、パラメータ候補生成部１０１で生成されたパラメータ候補リストに含まれる１以上のパラメータ候補の候補数が、パラメータ情報復号部１０２で復号されたパラメータ情報により示される最大数よりも大きい状態をエラーとして検出してもよい。
【０１８４】
また、例えば、パラメータ情報復号部１０２は、パラメータ候補リストから復号対象ユニットの復号に用いられるパラメータを特定するための番号を示すパラメータ情報を復号してもよい。そして、エラー検出部１０３は、パラメータ情報復号部１０２で復号されたパラメータ情報により示される番号が、パラメータ候補リストに含まれる１以上のパラメータ候補の最大数よりも大きい状態をエラーとして検出してもよい。
【０１８５】
図２３は、本実施の形態の第１の変形例に係る画像復号装置を示すブロック図である。図２３に示された画像復号装置２００には、図２１に示された画像復号装置１００に比べて、画像復号部１０４が追加されている。
【０１８６】
画像復号部１０４は、パラメータ情報復号部１０２で復号されたパラメータ情報に基づいて、パラメータ候補リストから復号対象ユニットの復号に用いられるパラメータを特定する。そして、画像復号部１０４は、特定されたパラメータを用いて復号対象ユニットを復号する。例えば、画像復号部１０４は、図２に示された逆量子化部５０４、逆周波数変換部５０５、動き補償部５０６、面内予測部５０７および再構成部５０８等に対応する。
【０１８７】
図２４は、図２３に示された画像復号装置２００の動作を示すフローチャートである。図２３に示された画像復号装置２００は、エラー検出部１０３がエラーを検出するまで（Ｓ１０３）、画像復号装置１００と同様に動作する。そして、画像復号部１０４は、エラー検出部１０３によりエラーが検出された場合でも、符号化ストリームの復号を継続する（Ｓ１０４）。
【０１８８】
例えば、画像復号部１０４は、エラー検出部１０３によりエラーが検出された場合、エラーを隠蔽して、符号化ストリームの復号を継続してもよい。この場合、画像復号部１０４は、パラメータ候補リストから代替パラメータを特定し、特定された代替パラメータを用いて復号対象ユニットを復号することにより、エラーを隠蔽してもよい。あるいは、画像復号部１０４は、この場合、予め定められた代替パラメータを用いて復号対象ユニットを復号することにより、エラーを隠蔽してもよい。
【０１８９】
また、例えば、画像復号部１０４は、エラー検出部１０３によりエラーが検出された場合、復号対象ユニットの復号をスキップして、復号対象ユニットとは異なるユニットを復号してもよい。そして、これにより、画像復号部１０４は、符号化ストリームの復号を継続してもよい。
【０１９０】
図２５は、本実施の形態の第２の変形例に係る画像復号装置を示すブロック図である。図２５に示された画像復号装置３００には、図２３に示された画像復号装置２００に比べて、エラー検出部１０３が削除されている。すなわち、画像復号装置３００には、エラー検出部１０３が含まれなくてもよい。
【０１９１】
図２６は、図２５に示された画像復号装置３００の動作を示すフローチャートである。図２５に示された画像復号装置３００は、パラメータ情報復号部１０２がパラメータ情報を復号するまで（Ｓ１０２）、画像復号装置２００と同様に動作する。そして、画像復号部１０４は、パラメータ候補生成部１０１で生成されたパラメータ候補リストに、パラメータ情報復号部１０２で復号されたパラメータ情報が整合しない場合でも、符号化ストリームの復号を継続する（Ｓ１０４）。
【０１９２】
例えば、画像復号部１０４は、パラメータ候補リストにパラメータ情報が整合しない場合、代替パラメータを用いて復号対象ユニットを復号することにより、符号化ストリームの復号を継続してもよい。また、画像復号部１０４は、パラメータ候補リストにパラメータ情報が整合しない場合、復号対象ユニットの復号をスキップして、復号対象ユニットとは異なるユニットを復号してもよい。そして、これにより、画像復号部１０４は、符号化ストリームの復号を継続してもよい。
【０１９３】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の画像復号装置などを実現するソフトウェアは、次のようなプログラムである。
【０１９４】
すなわち、このプログラムは、コンピュータに、複数のユニットに分割された画像の符号化ストリームを復号する画像復号方法であって、１以上の復号済みユニットの復号に用いられた１以上のパラメータを用いて、それぞれが復号対象ユニットの復号に用いられるパラメータの候補である１以上のパラメータ候補を含むパラメータ候補リストを生成するパラメータ候補生成ステップと、前記符号化ストリームに含まれる情報であり、前記１以上のパラメータ候補に関する情報であるパラメータ情報を復号するパラメータ情報復号ステップと、前記パラメータ候補生成ステップで生成された前記パラメータ候補リストに、前記パラメータ情報復号ステップで復号された前記パラメータ情報が整合しない状態をエラーとして検出するエラー検出ステップとを含む画像復号方法を実行させる。
【０１９５】
また、各構成要素は、回路であってもよい。これらの回路は、全体として１つの回路を構成してもよいし、それぞれ別々の回路であってもよい。また、各構成要素は、汎用的なプロセッサで実現されてもよいし、専用のプロセッサで実現されてもよい。
【０１９６】
以上、一つまたは複数の態様に係る画像復号装置などについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０１９７】
例えば、特定の処理部が実行する処理を別の処理部が実行してもよい。また、処理を実行する順番が変更されてもよいし、複数の処理が並行して実行されてもよい。また、上記の画像復号方法と同様の方法が、画像符号化方法に適用されてもよい。そして、画像符号化装置が、そのような画像符号化方法を実行してもよい。また、画像符号化復号装置が、画像符号化装置および画像復号装置を備えていてもよい。
【０１９８】
（実施の形態５）
上記各実施の形態で示した動画像符号化方法（画像符号化方法）または動画像復号化方法（画像復号方法）の構成を実現するためのプログラムを記憶メディアに記録することにより、上記各実施の形態で示した処理を独立したコンピュータシステムにおいて簡単に実施することが可能となる。記憶メディアは、磁気ディスク、光ディスク、光磁気ディスク、ＩＣカード、半導体メモリ等、プログラムを記録できるものであればよい。
【０１９９】
さらにここで、上記各実施の形態で示した動画像符号化方法（画像符号化方法）や動画像復号化方法（画像復号方法）の応用例とそれを用いたシステムを説明する。当該システムは、画像符号化方法を用いた画像符号化装置、及び画像復号方法を用いた画像復号装置からなる画像符号化復号装置を有することを特徴とする。システムにおける他の構成について、場合に応じて適切に変更することができる。
【０２００】
図２７は、コンテンツ配信サービスを実現するコンテンツ供給システムex１００の全体構成を示す図である。通信サービスの提供エリアを所望の大きさに分割し、各セル内にそれぞれ固定無線局である基地局ex１０６、ex１０７、ex１０８、ex１０９、ex１１０が設置されている。
【０２０１】
このコンテンツ供給システムex１００は、インターネットex１０１にインターネットサービスプロバイダex１０２および電話網ex１０４、および基地局ex１０６からex１１０を介して、コンピュータex１１１、ＰＤＡ（Personal Digital Assistant）ex１１２、カメラex１１３、携帯電話ex１１４、ゲーム機ex１１５などの各機器が接続される。
【０２０２】
しかし、コンテンツ供給システムex１００は図２７のような構成に限定されず、いずれかの要素を組合せて接続するようにしてもよい。また、固定無線局である基地局ex１０６からex１１０を介さずに、各機器が電話網ex１０４に直接接続されてもよい。また、各機器が近距離無線等を介して直接相互に接続されていてもよい。
【０２０３】
カメラex１１３はデジタルビデオカメラ等の動画撮影が可能な機器であり、カメラex１１６はデジタルカメラ等の静止画撮影、動画撮影が可能な機器である。また、携帯電話ex１１４は、ＧＳＭ（登録商標）（Global System for Mobile Communications）方式、ＣＤＭＡ（Code Division Multiple Access）方式、Ｗ−ＣＤＭＡ（Wideband-Code Division Multiple Access）方式、若しくはＬＴＥ（Long Term Evolution）方式、ＨＳＰＡ(High Speed Packet Access)の携帯電話機、またはＰＨＳ（Personal Handyphone System）等であり、いずれでも構わない。
【０２０４】
コンテンツ供給システムex１００では、カメラex１１３等が基地局ex１０９、電話網ex１０４を通じてストリーミングサーバex１０３に接続されることで、ライブ配信等が可能になる。ライブ配信では、ユーザがカメラex１１３を用いて撮影するコンテンツ（例えば、音楽ライブの映像等）に対して上記各実施の形態で説明したように符号化処理を行い（即ち、本発明の一態様に係る画像符号化装置として機能する）、ストリーミングサーバex１０３に送信する。一方、ストリーミングサーバex１０３は要求のあったクライアントに対して送信されたコンテンツデータをストリーム配信する。クライアントとしては、上記符号化処理されたデータを復号化することが可能な、コンピュータex１１１、ＰＤＡex１１２、カメラex１１３、携帯電話ex１１４、ゲーム機ex１１５等がある。配信されたデータを受信した各機器では、受信したデータを復号化処理して再生する（即ち、本発明の一態様に係る画像復号装置として機能する）。
【０２０５】
なお、撮影したデータの符号化処理はカメラex１１３で行っても、データの送信処理をするストリーミングサーバex１０３で行ってもよいし、互いに分担して行ってもよい。同様に配信されたデータの復号化処理はクライアントで行っても、ストリーミングサーバex１０３で行ってもよいし、互いに分担して行ってもよい。また、カメラex１１３に限らず、カメラex１１６で撮影した静止画像および／または動画像データを、コンピュータex１１１を介してストリーミングサーバex１０３に送信してもよい。この場合の符号化処理はカメラex１１６、コンピュータex１１１、ストリーミングサーバex１０３のいずれで行ってもよいし、互いに分担して行ってもよい。
【０２０６】
また、これら符号化・復号化処理は、一般的にコンピュータex１１１や各機器が有するＬＳＩex５００において処理する。ＬＳＩex５００は、ワンチップであっても複数チップからなる構成であってもよい。なお、動画像符号化・復号化用のソフトウェアをコンピュータex１１１等で読み取り可能な何らかの記録メディア（ＣＤ−ＲＯＭ、フレキシブルディスク、ハードディスクなど）に組み込み、そのソフトウェアを用いて符号化・復号化処理を行ってもよい。さらに、携帯電話ex１１４がカメラ付きである場合には、そのカメラで取得した動画データを送信してもよい。このときの動画データは携帯電話ex１１４が有するＬＳＩex５００で符号化処理されたデータである。
【０２０７】
また、ストリーミングサーバex１０３は複数のサーバや複数のコンピュータであって、データを分散して処理したり記録したり配信するものであってもよい。
【０２０８】
以上のようにして、コンテンツ供給システムex１００では、符号化されたデータをクライアントが受信して再生することができる。このようにコンテンツ供給システムex１００では、ユーザが送信した情報をリアルタイムでクライアントが受信して復号化し、再生することができ、特別な権利や設備を有さないユーザでも個人放送を実現できる。
【０２０９】
なお、コンテンツ供給システムex１００の例に限らず、図２８に示すように、デジタル放送用システムex２００にも、上記各実施の形態の少なくとも動画像符号化装置（画像符号化装置）または動画像復号化装置（画像復号装置）のいずれかを組み込むことができる。具体的には、放送局ex２０１では映像データに音楽データなどが多重化された多重化データが電波を介して通信または衛星ex２０２に伝送される。この映像データは上記各実施の形態で説明した動画像符号化方法により符号化されたデータである（即ち、本発明の一態様に係る画像符号化装置によって符号化されたデータである）。これを受けた放送衛星ex２０２は、放送用の電波を発信し、この電波を衛星放送の受信が可能な家庭のアンテナex２０４が受信する。受信した多重化データを、テレビ（受信機）ex３００またはセットトップボックス（ＳＴＢ）ex２１７等の装置が復号化して再生する（即ち、本発明の一態様に係る画像復号装置として機能する）。
【０２１０】
また、ＤＶＤ、ＢＤ等の記録メディアex２１５に記録した多重化データを読み取り復号化する、または記録メディアex２１５に映像信号を符号化し、さらに場合によっては音楽信号と多重化して書き込むリーダ／レコーダex２１８にも上記各実施の形態で示した動画像復号化装置または動画像符号化装置を実装することが可能である。この場合、再生された映像信号はモニタex２１９に表示され、多重化データが記録された記録メディアex２１５により他の装置やシステムにおいて映像信号を再生することができる。また、ケーブルテレビ用のケーブルex２０３または衛星／地上波放送のアンテナex２０４に接続されたセットトップボックスex２１７内に動画像復号化装置を実装し、これをテレビのモニタex２１９で表示してもよい。このときセットトップボックスではなく、テレビ内に動画像復号化装置を組み込んでもよい。
【０２１１】
図２９は、上記各実施の形態で説明した動画像復号化方法および動画像符号化方法を用いたテレビ（受信機）ex３００を示す図である。テレビex３００は、上記放送を受信するアンテナex２０４またはケーブルex２０３等を介して映像データに音声データが多重化された多重化データを取得、または出力するチューナex３０１と、受信した多重化データを復調する、または外部に送信する多重化データに変調する変調／復調部ex３０２と、復調した多重化データを映像データと、音声データとに分離する、または信号処理部ex３０６で符号化された映像データ、音声データを多重化する多重／分離部ex３０３を備える。
【０２１２】
また、テレビex３００は、音声データ、映像データそれぞれを復号化する、またはそれぞれの情報を符号化する音声信号処理部ex３０４、映像信号処理部ex３０５（本発明の一態様に係る画像符号化装置または画像復号装置として機能する）を有する信号処理部ex３０６と、復号化した音声信号を出力するスピーカex３０７、復号化した映像信号を表示するディスプレイ等の表示部ex３０８を有する出力部ex３０９とを有する。さらに、テレビex３００は、ユーザ操作の入力を受け付ける操作入力部ex３１２等を有するインタフェース部ex３１７を有する。さらに、テレビex３００は、各部を統括的に制御する制御部ex３１０、各部に電力を供給する電源回路部ex３１１を有する。インタフェース部ex３１７は、操作入力部ex３１２以外に、リーダ／レコーダex２１８等の外部機器と接続されるブリッジex３１３、ＳＤカード等の記録メディアex２１６を装着可能とするためのスロット部ex３１４、ハードディスク等の外部記録メディアと接続するためのドライバex３１５、電話網と接続するモデムex３１６等を有していてもよい。なお記録メディアex２１６は、格納する不揮発性／揮発性の半導体メモリ素子により電気的に情報の記録を可能としたものである。テレビex３００の各部は同期バスを介して互いに接続されている。
【０２１３】
まず、テレビex３００がアンテナex２０４等により外部から取得した多重化データを復号化し、再生する構成について説明する。テレビex３００は、リモートコントローラex２２０等からのユーザ操作を受け、ＣＰＵ等を有する制御部ex３１０の制御に基づいて、変調／復調部ex３０２で復調した多重化データを多重／分離部ex３０３で分離する。さらにテレビex３００は、分離した音声データを音声信号処理部ex３０４で復号化し、分離した映像データを映像信号処理部ex３０５で上記各実施の形態で説明した復号化方法を用いて復号化する。復号化した音声信号、映像信号は、それぞれ出力部ex３０９から外部に向けて出力される。出力する際には、音声信号と映像信号が同期して再生するよう、バッファex３１８、ex３１９等に一旦これらの信号を蓄積するとよい。また、テレビex３００は、放送等からではなく、磁気／光ディスク、ＳＤカード等の記録メディアex２１５、ex２１６から多重化データを読み出してもよい。次に、テレビex３００が音声信号や映像信号を符号化し、外部に送信または記録メディア等に書き込む構成について説明する。テレビex３００は、リモートコントローラex２２０等からのユーザ操作を受け、制御部ex３１０の制御に基づいて、音声信号処理部ex３０４で音声信号を符号化し、映像信号処理部ex３０５で映像信号を上記各実施の形態で説明した符号化方法を用いて符号化する。符号化した音声信号、映像信号は多重／分離部ex３０３で多重化され外部に出力される。多重化する際には、音声信号と映像信号が同期するように、バッファex３２０、ex３２１等に一旦これらの信号を蓄積するとよい。なお、バッファex３１８、ex３１９、ex３２０、ex３２１は図示しているように複数備えていてもよいし、１つ以上のバッファを共有する構成であってもよい。さらに、図示している以外に、例えば変調／復調部ex３０２や多重／分離部ex３０３の間等でもシステムのオーバフロー、アンダーフローを避ける緩衝材としてバッファにデータを蓄積することとしてもよい。
【０２１４】
また、テレビex３００は、放送等や記録メディア等から音声データ、映像データを取得する以外に、マイクやカメラのＡＶ入力を受け付ける構成を備え、それらから取得したデータに対して符号化処理を行ってもよい。なお、ここではテレビex３００は上記の符号化処理、多重化、および外部出力ができる構成として説明したが、これらの処理を行うことはできず、上記受信、復号化処理、外部出力のみが可能な構成であってもよい。
【０２１５】
また、リーダ／レコーダex２１８で記録メディアから多重化データを読み出す、または書き込む場合には、上記復号化処理または符号化処理はテレビex３００、リーダ／レコーダex２１８のいずれで行ってもよいし、テレビex３００とリーダ／レコーダex２１８が互いに分担して行ってもよい。
【０２１６】
一例として、光ディスクからデータの読み込みまたは書き込みをする場合の情報再生／記録部ex４００の構成を図３０に示す。情報再生／記録部ex４００は、以下に説明する要素ex４０１、ex４０２、ex４０３、ex４０４、ex４０５、ex４０６、ex４０７を備える。光ヘッドex４０１は、光ディスクである記録メディアex２１５の記録面にレーザスポットを照射して情報を書き込み、記録メディアex２１５の記録面からの反射光を検出して情報を読み込む。変調記録部ex４０２は、光ヘッドex４０１に内蔵された半導体レーザを電気的に駆動し記録データに応じてレーザ光の変調を行う。再生復調部ex４０３は、光ヘッドex４０１に内蔵されたフォトディテクタにより記録面からの反射光を電気的に検出した再生信号を増幅し、記録メディアex２１５に記録された信号成分を分離して復調し、必要な情報を再生する。バッファex４０４は、記録メディアex２１５に記録するための情報および記録メディアex２１５から再生した情報を一時的に保持する。ディスクモータex４０５は記録メディアex２１５を回転させる。サーボ制御部ex４０６は、ディスクモータex４０５の回転駆動を制御しながら光ヘッドex４０１を所定の情報トラックに移動させ、レーザスポットの追従処理を行う。システム制御部ex４０７は、情報再生／記録部ex４００全体の制御を行う。上記の読み出しや書き込みの処理はシステム制御部ex４０７が、バッファex４０４に保持された各種情報を利用し、また必要に応じて新たな情報の生成・追加を行うと共に、変調記録部ex４０２、再生復調部ex４０３、サーボ制御部ex４０６を協調動作させながら、光ヘッドex４０１を通して、情報の記録再生を行うことにより実現される。システム制御部ex４０７は例えばマイクロプロセッサで構成され、読み出し書き込みのプログラムを実行することでそれらの処理を実行する。
【０２１７】
以上では、光ヘッドex４０１はレーザスポットを照射するとして説明したが、近接場光を用いてより高密度な記録を行う構成であってもよい。
【０２１８】
図３１に光ディスクである記録メディアex２１５の模式図を示す。記録メディアex２１５の記録面には案内溝（グルーブ）がスパイラル状に形成され、情報トラックex２３０には、予めグルーブの形状の変化によってディスク上の絶対位置を示す番地情報が記録されている。この番地情報はデータを記録する単位である記録ブロックex２３１の位置を特定するための情報を含み、記録や再生を行う装置において情報トラックex２３０を再生し番地情報を読み取ることで記録ブロックを特定することができる。また、記録メディアex２１５は、データ記録領域ex２３３、内周領域ex２３２、外周領域ex２３４を含んでいる。ユーザデータを記録するために用いる領域がデータ記録領域ex２３３であり、データ記録領域ex２３３より内周または外周に配置されている内周領域ex２３２と外周領域ex２３４は、ユーザデータの記録以外の特定用途に用いられる。情報再生／記録部ex４００は、このような記録メディアex２１５のデータ記録領域ex２３３に対して、符号化された音声データ、映像データまたはそれらのデータを多重化した多重化データの読み書きを行う。
【０２１９】
以上では、１層のＤＶＤ、ＢＤ等の光ディスクを例に挙げ説明したが、これらに限ったものではなく、多層構造であって表面以外にも記録可能な光ディスクであってもよい。また、ディスクの同じ場所にさまざまな異なる波長の色の光を用いて情報を記録したり、さまざまな角度から異なる情報の層を記録したりなど、多次元的な記録／再生を行う構造の光ディスクであってもよい。
【０２２０】
また、デジタル放送用システムex２００において、アンテナex２０５を有する車ex２１０で衛星ex２０２等からデータを受信し、車ex２１０が有するカーナビゲーションex２１１等の表示装置に動画を再生することも可能である。なお、カーナビゲーションex２１１の構成は例えば図２９に示す構成のうち、ＧＰＳ受信部を加えた構成が考えられ、同様なことがコンピュータex１１１や携帯電話ex１１４等でも考えられる。
【０２２１】
図３２Ａは、上記実施の形態で説明した動画像復号化方法および動画像符号化方法を用いた携帯電話ex１１４を示す図である。携帯電話ex１１４は、基地局ex１１０との間で電波を送受信するためのアンテナex３５０、映像、静止画を撮ることが可能なカメラ部ex３６５、カメラ部ex３６５で撮像した映像、アンテナex３５０で受信した映像等が復号化されたデータを表示する液晶ディスプレイ等の表示部ex３５８を備える。携帯電話ex１１４は、さらに、操作キー部ex３６６を有する本体部、音声を出力するためのスピーカ等である音声出力部ex３５７、音声を入力するためのマイク等である音声入力部ex３５６、撮影した映像、静止画、録音した音声、または受信した映像、静止画、メール等の符号化されたデータもしくは復号化されたデータを保存するメモリ部ex３６７、又は同様にデータを保存する記録メディアとのインタフェース部であるスロット部ex３６４を備える。
【０２２２】
さらに、携帯電話ex１１４の構成例について、図３２Ｂを用いて説明する。携帯電話ex１１４は、表示部ex３５８及び操作キー部ex３６６を備えた本体部の各部を統括的に制御する主制御部ex３６０に対して、電源回路部ex３６１、操作入力制御部ex３６２、映像信号処理部ex３５５、カメラインタフェース部ex３６３、ＬＣＤ（Liquid Crystal Display）制御部ex３５９、変調／復調部ex３５２、多重／分離部ex３５３、音声信号処理部ex３５４、スロット部ex３６４、メモリ部ex３６７がバスex３７０を介して互いに接続されている。
【０２２３】
電源回路部ex３６１は、ユーザの操作により終話及び電源キーがオン状態にされると、バッテリパックから各部に対して電力を供給することにより携帯電話ex１１４を動作可能な状態に起動する。
【０２２４】
携帯電話ex１１４は、ＣＰＵ、ＲＯＭ、ＲＡＭ等を有する主制御部ex３６０の制御に基づいて、音声通話モード時に音声入力部ex３５６で収音した音声信号を音声信号処理部ex３５４でデジタル音声信号に変換し、これを変調／復調部ex３５２でスペクトラム拡散処理し、送信／受信部ex３５１でデジタルアナログ変換処理および周波数変換処理を施した後にアンテナex３５０を介して送信する。また携帯電話ex１１４は、音声通話モード時にアンテナex３５０を介して受信した受信データを増幅して周波数変換処理およびアナログデジタル変換処理を施し、変調／復調部ex３５２でスペクトラム逆拡散処理し、音声信号処理部ex３５４でアナログ音声信号に変換した後、これを音声出力部ex３５７から出力する。
【０２２５】
さらにデータ通信モード時に電子メールを送信する場合、本体部の操作キー部ex３６６等の操作によって入力された電子メールのテキストデータは操作入力制御部ex３６２を介して主制御部ex３６０に送出される。主制御部ex３６０は、テキストデータを変調／復調部ex３５２でスペクトラム拡散処理をし、送信／受信部ex３５１でデジタルアナログ変換処理および周波数変換処理を施した後にアンテナex３５０を介して基地局ex１１０へ送信する。電子メールを受信する場合は、受信したデータに対してこのほぼ逆の処理が行われ、表示部ex３５８に出力される。
【０２２６】
データ通信モード時に映像、静止画、または映像と音声を送信する場合、映像信号処理部ex３５５は、カメラ部ex３６５から供給された映像信号を上記各実施の形態で示した動画像符号化方法によって圧縮符号化し（即ち、本発明の一態様に係る画像符号化装置として機能する）、符号化された映像データを多重／分離部ex３５３に送出する。また、音声信号処理部ex３５４は、映像、静止画等をカメラ部ex３６５で撮像中に音声入力部ex３５６で収音した音声信号を符号化し、符号化された音声データを多重／分離部ex３５３に送出する。
【０２２７】
多重／分離部ex３５３は、映像信号処理部ex３５５から供給された符号化された映像データと音声信号処理部ex３５４から供給された符号化された音声データを所定の方式で多重化し、その結果得られる多重化データを変調／復調部（変調／復調回路部）ex３５２でスペクトラム拡散処理をし、送信／受信部ex３５１でデジタルアナログ変換処理及び周波数変換処理を施した後にアンテナex３５０を介して送信する。
【０２２８】
データ通信モード時にホームページ等にリンクされた動画像ファイルのデータを受信する場合、または映像およびもしくは音声が添付された電子メールを受信する場合、アンテナex３５０を介して受信された多重化データを復号化するために、多重／分離部ex３５３は、多重化データを分離することにより映像データのビットストリームと音声データのビットストリームとに分け、同期バスex３７０を介して符号化された映像データを映像信号処理部ex３５５に供給するとともに、符号化された音声データを音声信号処理部ex３５４に供給する。映像信号処理部ex３５５は、上記各実施の形態で示した動画像符号化方法に対応した動画像復号化方法によって復号化することにより映像信号を復号し（即ち、本発明の一態様に係る画像復号装置として機能する）、ＬＣＤ制御部ex３５９を介して表示部ex３５８から、例えばホームページにリンクされた動画像ファイルに含まれる映像、静止画が表示される。また音声信号処理部ex３５４は、音声信号を復号し、音声出力部ex３５７から音声が出力される。
【０２２９】
また、上記携帯電話ex１１４等の端末は、テレビex３００と同様に、符号化器・復号化器を両方持つ送受信型端末の他に、符号化器のみの送信端末、復号化器のみの受信端末という３通りの実装形式が考えられる。さらに、デジタル放送用システムex２００において、映像データに音楽データなどが多重化された多重化データを受信、送信するとして説明したが、音声データ以外に映像に関連する文字データなどが多重化されたデータであってもよいし、多重化データではなく映像データ自体であってもよい。
【０２３０】
このように、上記各実施の形態で示した動画像符号化方法あるいは動画像復号化方法を上述したいずれの機器・システムに用いることは可能であり、そうすることで、上記各実施の形態で説明した効果を得ることができる。
【０２３１】
また、本発明はかかる上記実施の形態に限定されるものではなく、本発明の範囲を逸脱することなく種々の変形または修正が可能である。
【０２３２】
（実施の形態６）
上記各実施の形態で示した動画像符号化方法または装置と、ＭＰＥＧ−２、ＭＰＥＧ４−ＡＶＣ、ＶＣ−１など異なる規格に準拠した動画像符号化方法または装置とを、必要に応じて適宜切替えることにより、映像データを生成することも可能である。
【０２３３】
ここで、それぞれ異なる規格に準拠する複数の映像データを生成した場合、復号する際に、それぞれの規格に対応した復号方法を選択する必要がある。しかしながら、復号する映像データが、どの規格に準拠するものであるか識別できないため、適切な復号方法を選択することができないという課題を生じる。
【０２３４】
この課題を解決するために、映像データに音声データなどを多重化した多重化データは、映像データがどの規格に準拠するものであるかを示す識別情報を含む構成とする。上記各実施の形態で示す動画像符号化方法または装置によって生成された映像データを含む多重化データの具体的な構成を以下説明する。多重化データは、ＭＰＥＧ−２トランスポートストリーム形式のデジタルストリームである。
【０２３５】
図３３は、多重化データの構成を示す図である。図３３に示すように多重化データは、ビデオストリーム、オーディオストリーム、プレゼンテーショングラフィックスストリーム（ＰＧ）、インタラクティブグラフィックスストリームのうち、１つ以上を多重化することで得られる。ビデオストリームは映画の主映像および副映像を、オーディオストリーム（ＩＧ）は映画の主音声部分とその主音声とミキシングする副音声を、プレゼンテーショングラフィックスストリームは、映画の字幕をそれぞれ示している。ここで主映像とは画面に表示される通常の映像を示し、副映像とは主映像の中に小さな画面で表示する映像のことである。また、インタラクティブグラフィックスストリームは、画面上にＧＵＩ部品を配置することにより作成される対話画面を示している。ビデオストリームは、上記各実施の形態で示した動画像符号化方法または装置、従来のＭＰＥＧ−２、ＭＰＥＧ４−ＡＶＣ、ＶＣ−１などの規格に準拠した動画像符号化方法または装置によって符号化されている。オーディオストリームは、ドルビーＡＣ−３、Ｄｏｌｂｙ  Ｄｉｇｉｔａｌ  Ｐｌｕｓ、ＭＬＰ、ＤＴＳ、ＤＴＳ−ＨＤ、または、リニアＰＣＭのなどの方式で符号化されている。
【０２３６】
多重化データに含まれる各ストリームはＰＩＤによって識別される。例えば、映画の映像に利用するビデオストリームには０ｘ１０１１が、オーディオストリームには０ｘ１１００から０ｘ１１１Ｆまでが、プレゼンテーショングラフィックスには０ｘ１２００から０ｘ１２１Ｆまでが、インタラクティブグラフィックスストリームには０ｘ１４００から０ｘ１４１Ｆまでが、映画の副映像に利用するビデオストリームには０ｘ１Ｂ００から０ｘ１Ｂ１Ｆまで、主音声とミキシングする副音声に利用するオーディオストリームには０ｘ１Ａ００から０ｘ１Ａ１Ｆが、それぞれ割り当てられている。
【０２３７】
図３４は、多重化データがどのように多重化されるかを模式的に示す図である。まず、複数のビデオフレームからなるビデオストリームex２３５、複数のオーディオフレームからなるオーディオストリームex２３８を、それぞれＰＥＳパケット列ex２３６およびex２３９に変換し、ＴＳパケットex２３７およびex２４０に変換する。同じくプレゼンテーショングラフィックスストリームex２４１およびインタラクティブグラフィックスex２４４のデータをそれぞれＰＥＳパケット列ex２４２およびex２４５に変換し、さらにＴＳパケットex２４３およびex２４６に変換する。多重化データex２４７はこれらのＴＳパケットを１本のストリームに多重化することで構成される。
【０２３８】
図３５は、ＰＥＳパケット列に、ビデオストリームがどのように格納されるかをさらに詳しく示している。図３５における第１段目はビデオストリームのビデオフレーム列を示す。第２段目は、ＰＥＳパケット列を示す。図３５の矢印ｙｙ１，ｙｙ２，ｙｙ３，ｙｙ４に示すように、ビデオストリームにおける複数のＶｉｄｅｏ  Ｐｒｅｓｅｎｔａｔｉｏｎ  ＵｎｉｔであるＩピクチャ、Ｂピクチャ、Ｐピクチャは、ピクチャ毎に分割され、ＰＥＳパケットのペイロードに格納される。各ＰＥＳパケットはＰＥＳヘッダを持ち、ＰＥＳヘッダには、ピクチャの表示時刻であるＰＴＳ（Ｐｒｅｓｅｎｔａｔｉｏｎ  Ｔｉｍｅ−Ｓｔａｍｐ）やピクチャの復号時刻であるＤＴＳ（Ｄｅｃｏｄｉｎｇ  Ｔｉｍｅ−Ｓｔａｍｐ）が格納される。
【０２３９】
図３６は、多重化データに最終的に書き込まれるＴＳパケットの形式を示している。ＴＳパケットは、ストリームを識別するＰＩＤなどの情報を持つ４ＢｙｔｅのＴＳヘッダとデータを格納する１８４ＢｙｔｅのＴＳペイロードから構成される１８８Ｂｙｔｅ固定長のパケットであり、上記ＰＥＳパケットは分割されＴＳペイロードに格納される。ＢＤ−ＲＯＭの場合、ＴＳパケットには、４ＢｙｔｅのＴＰ＿Ｅｘｔｒａ＿Ｈｅａｄｅｒが付与され、１９２Ｂｙｔｅのソースパケットを構成し、多重化データに書き込まれる。ＴＰ＿Ｅｘｔｒａ＿ＨｅａｄｅｒにはＡＴＳ（Ａｒｒｉｖａｌ＿Ｔｉｍｅ＿Ｓｔａｍｐ）などの情報が記載される。ＡＴＳは当該ＴＳパケットのデコーダのＰＩＤフィルタへの転送開始時刻を示す。多重化データには図３６下段に示すようにソースパケットが並ぶこととなり、多重化データの先頭からインクリメントする番号はＳＰＮ（ソースパケットナンバー）と呼ばれる。
【０２４０】
また、多重化データに含まれるＴＳパケットには、映像・音声・字幕などの各ストリーム以外にもＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＰＣＲ（Ｐｒｏｇｒａｍ  Ｃｌｏｃｋ  Ｒｅｆｅｒｅｎｃｅ）などがある。ＰＡＴは多重化データ中に利用されるＰＭＴのＰＩＤが何であるかを示し、ＰＡＴ自身のＰＩＤは０で登録される。ＰＭＴは、多重化データ中に含まれる映像・音声・字幕などの各ストリームのＰＩＤと各ＰＩＤに対応するストリームの属性情報を持ち、また多重化データに関する各種ディスクリプタを持つ。ディスクリプタには多重化データのコピーを許可・不許可を指示するコピーコントロール情報などがある。ＰＣＲは、ＡＴＳの時間軸であるＡＴＣ（Ａｒｒｉｖａｌ  Ｔｉｍｅ  Ｃｌｏｃｋ）とＰＴＳ・ＤＴＳの時間軸であるＳＴＣ（Ｓｙｓｔｅｍ  Ｔｉｍｅ  Ｃｌｏｃｋ）の同期を取るために、そのＰＣＲパケットがデコーダに転送されるＡＴＳに対応するＳＴＣ時間の情報を持つ。
【０２４１】
図３７はＰＭＴのデータ構造を詳しく説明する図である。ＰＭＴの先頭には、そのＰＭＴに含まれるデータの長さなどを記したＰＭＴヘッダが配置される。その後ろには、多重化データに関するディスクリプタが複数配置される。上記コピーコントロール情報などが、ディスクリプタとして記載される。ディスクリプタの後には、多重化データに含まれる各ストリームに関するストリーム情報が複数配置される。ストリーム情報は、ストリームの圧縮コーデックなどを識別するためストリームタイプ、ストリームのＰＩＤ、ストリームの属性情報（フレームレート、アスペクト比など）が記載されたストリームディスクリプタから構成される。ストリームディスクリプタは多重化データに存在するストリームの数だけ存在する。
【０２４２】
記録媒体などに記録する場合には、上記多重化データは、多重化データ情報ファイルと共に記録される。
【０２４３】
多重化データ情報ファイルは、図３８に示すように多重化データの管理情報であり、多重化データと１対１に対応し、多重化データ情報、ストリーム属性情報とエントリマップから構成される。
【０２４４】
多重化データ情報は図３８に示すようにシステムレート、再生開始時刻、再生終了時刻から構成されている。システムレートは多重化データの、後述するシステムターゲットデコーダのＰＩＤフィルタへの最大転送レートを示す。多重化データ中に含まれるＡＴＳの間隔はシステムレート以下になるように設定されている。再生開始時刻は多重化データの先頭のビデオフレームのＰＴＳであり、再生終了時刻は多重化データの終端のビデオフレームのＰＴＳに１フレーム分の再生間隔を足したものが設定される。
【０２４５】
ストリーム属性情報は図３９に示すように、多重化データに含まれる各ストリームについての属性情報が、ＰＩＤ毎に登録される。属性情報はビデオストリーム、オーディオストリーム、プレゼンテーショングラフィックスストリーム、インタラクティブグラフィックスストリーム毎に異なる情報を持つ。ビデオストリーム属性情報は、そのビデオストリームがどのような圧縮コーデックで圧縮されたか、ビデオストリームを構成する個々のピクチャデータの解像度がどれだけであるか、アスペクト比はどれだけであるか、フレームレートはどれだけであるかなどの情報を持つ。オーディオストリーム属性情報は、そのオーディオストリームがどのような圧縮コーデックで圧縮されたか、そのオーディオストリームに含まれるチャンネル数は何であるか、何の言語に対応するか、サンプリング周波数がどれだけであるかなどの情報を持つ。これらの情報は、プレーヤが再生する前のデコーダの初期化などに利用される。
【０２４６】
本実施の形態においては、上記多重化データのうち、ＰＭＴに含まれるストリームタイプを利用する。また、記録媒体に多重化データが記録されている場合には、多重化データ情報に含まれる、ビデオストリーム属性情報を利用する。具体的には、上記各実施の形態で示した動画像符号化方法または装置において、ＰＭＴに含まれるストリームタイプ、または、ビデオストリーム属性情報に対し、上記各実施の形態で示した動画像符号化方法または装置によって生成された映像データであることを示す固有の情報を設定するステップまたは手段を設ける。この構成により、上記各実施の形態で示した動画像符号化方法または装置によって生成した映像データと、他の規格に準拠する映像データとを識別することが可能になる。
【０２４７】
また、本実施の形態における動画像復号化方法のステップを図４０に示す。ステップexＳ１００において、多重化データからＰＭＴに含まれるストリームタイプ、または、多重化データ情報に含まれるビデオストリーム属性情報を取得する。次に、ステップexＳ１０１において、ストリームタイプ、または、ビデオストリーム属性情報が上記各実施の形態で示した動画像符号化方法または装置によって生成された多重化データであることを示しているか否かを判断する。そして、ストリームタイプ、または、ビデオストリーム属性情報が上記各実施の形態で示した動画像符号化方法または装置によって生成されたものであると判断された場合には、ステップexＳ１０２において、上記各実施の形態で示した動画像復号方法により復号を行う。また、ストリームタイプ、または、ビデオストリーム属性情報が、従来のＭＰＥＧ−２、ＭＰＥＧ４−ＡＶＣ、ＶＣ−１などの規格に準拠するものであることを示している場合には、ステップexＳ１０３において、従来の規格に準拠した動画像復号方法により復号を行う。
【０２４８】
このように、ストリームタイプ、または、ビデオストリーム属性情報に新たな固有値を設定することにより、復号する際に、上記各実施の形態で示した動画像復号化方法または装置で復号可能であるかを判断することができる。従って、異なる規格に準拠する多重化データが入力された場合であっても、適切な復号化方法または装置を選択することができるため、エラーを生じることなく復号することが可能となる。また、本実施の形態で示した動画像符号化方法または装置、または、動画像復号方法または装置を、上述したいずれの機器・システムに用いることも可能である。
【０２４９】
（実施の形態７）
上記各実施の形態で示した動画像符号化方法および装置、動画像復号化方法および装置は、典型的には集積回路であるＬＳＩで実現される。一例として、図４１に１チップ化されたＬＳＩex５００の構成を示す。ＬＳＩex５００は、以下に説明する要素ex５０１、ex５０２、ex５０３、ex５０４、ex５０５、ex５０６、ex５０７、ex５０８、ex５０９を備え、各要素はバスex５１０を介して接続している。電源回路部ex５０５は電源がオン状態の場合に各部に対して電力を供給することで動作可能な状態に起動する。
【０２５０】
例えば符号化処理を行う場合には、ＬＳＩex５００は、ＣＰＵex５０２、メモリコントローラex５０３、ストリームコントローラex５０４、駆動周波数制御部ex５１２等を有する制御部ex５０１の制御に基づいて、ＡＶ  Ｉ／Ｏex５０９によりマイクex１１７やカメラex１１３等からＡＶ信号を入力する。入力されたＡＶ信号は、一旦ＳＤＲＡＭ等の外部のメモリex５１１に蓄積される。制御部ex５０１の制御に基づいて、蓄積したデータは処理量や処理速度に応じて適宜複数回に分けるなどされ信号処理部ex５０７に送られ、信号処理部ex５０７において音声信号の符号化および／または映像信号の符号化が行われる。ここで映像信号の符号化処理は上記各実施の形態で説明した符号化処理である。信号処理部ex５０７ではさらに、場合により符号化された音声データと符号化された映像データを多重化するなどの処理を行い、ストリームＩ／Ｏex５０６から外部に出力する。この出力された多重化データは、基地局ex１０７に向けて送信されたり、または記録メディアex２１５に書き込まれたりする。なお、多重化する際には同期するよう、一旦バッファex５０８にデータを蓄積するとよい。
【０２５１】
なお、上記では、メモリex５１１がＬＳＩex５００の外部の構成として説明したが、ＬＳＩex５００の内部に含まれる構成であってもよい。バッファex５０８も１つに限ったものではなく、複数のバッファを備えていてもよい。また、ＬＳＩex５００は１チップ化されてもよいし、複数チップ化されてもよい。
【０２５２】
また、上記では、制御部ex５０１が、ＣＰＵex５０２、メモリコントローラex５０３、ストリームコントローラex５０４、駆動周波数制御部ex５１２等を有するとしているが、制御部ex５０１の構成は、この構成に限らない。例えば、信号処理部ex５０７がさらにＣＰＵを備える構成であってもよい。信号処理部ex５０７の内部にもＣＰＵを設けることにより、処理速度をより向上させることが可能になる。また、他の例として、ＣＰＵex５０２が信号処理部ex５０７、または信号処理部ex５０７の一部である例えば音声信号処理部を備える構成であってもよい。このような場合には、制御部ex５０１は、信号処理部ex５０７、またはその一部を有するＣＰＵex５０２を備える構成となる。
【０２５３】
なお、ここでは、ＬＳＩとしたが、集積度の違いにより、ＩＣ、システムＬＳＩ、スーパーＬＳＩ、ウルトラＬＳＩと呼称されることもある。
【０２５４】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。このようなプログラマブル・ロジック・デバイスは、典型的には、ソフトウェア又はファームウェアを構成するプログラムを、ロードする又はメモリ等から読み込むことで、上記各実施の形態で示した動画像符号化方法、又は動画像復号化方法を実行することができる。
【０２５５】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【０２５６】
（実施の形態８）
上記各実施の形態で示した動画像符号化方法または装置によって生成された映像データを復号する場合、従来のＭＰＥＧ−２、ＭＰＥＧ４−ＡＶＣ、ＶＣ−１などの規格に準拠する映像データを復号する場合に比べ、処理量が増加することが考えられる。そのため、ＬＳＩex５００において、従来の規格に準拠する映像データを復号する際のＣＰＵex５０２の駆動周波数よりも高い駆動周波数に設定する必要がある。しかし、駆動周波数を高くすると、消費電力が高くなるという課題が生じる。
【０２５７】
この課題を解決するために、テレビex３００、ＬＳＩex５００などの動画像復号化装置は、映像データがどの規格に準拠するものであるかを識別し、規格に応じて駆動周波数を切替える構成とする。図４２は、本実施の形態における構成ex８００を示している。駆動周波数切替え部ex８０３は、映像データが、上記各実施の形態で示した動画像符号化方法または装置によって生成されたものである場合には、駆動周波数を高く設定する。そして、上記各実施の形態で示した動画像復号化方法を実行する復号処理部ex８０１に対し、映像データを復号するよう指示する。一方、映像データが、従来の規格に準拠する映像データである場合には、映像データが、上記各実施の形態で示した動画像符号化方法または装置によって生成されたものである場合に比べ、駆動周波数を低く設定する。そして、従来の規格に準拠する復号処理部ex８０２に対し、映像データを復号するよう指示する。
【０２５８】
より具体的には、駆動周波数切替え部ex８０３は、図４１のＣＰＵex５０２と駆動周波数制御部ex５１２から構成される。また、上記各実施の形態で示した動画像復号化方法を実行する復号処理部ex８０１、および、従来の規格に準拠する復号処理部ex８０２は、図４１の信号処理部ex５０７に該当する。ＣＰＵex５０２は、映像データがどの規格に準拠するものであるかを識別する。そして、ＣＰＵex５０２からの信号に基づいて、駆動周波数制御部ex５１２は、駆動周波数を設定する。また、ＣＰＵex５０２からの信号に基づいて、信号処理部ex５０７は、映像データの復号を行う。ここで、映像データの識別には、例えば、実施の形態６で記載した識別情報を利用することが考えられる。識別情報に関しては、実施の形態６で記載したものに限られず、映像データがどの規格に準拠するか識別できる情報であればよい。例えば、映像データがテレビに利用されるものであるか、ディスクに利用されるものであるかなどを識別する外部信号に基づいて、映像データがどの規格に準拠するものであるか識別可能である場合には、このような外部信号に基づいて識別してもよい。また、ＣＰＵex５０２における駆動周波数の選択は、例えば、図４４のような映像データの規格と、駆動周波数とを対応付けたルックアップテーブルに基づいて行うことが考えられる。ルックアップテーブルを、バッファex５０８や、ＬＳＩの内部メモリに格納しておき、ＣＰＵex５０２がこのルックアップテーブルを参照することにより、駆動周波数を選択することが可能である。
【０２５９】
図４３は、本実施の形態の方法を実施するステップを示している。まず、ステップexＳ２００では、信号処理部ex５０７において、多重化データから識別情報を取得する。次に、ステップexＳ２０１では、ＣＰＵex５０２において、識別情報に基づいて映像データが上記各実施の形態で示した符号化方法または装置によって生成されたものであるか否かを識別する。映像データが上記各実施の形態で示した符号化方法または装置によって生成されたものである場合には、ステップexＳ２０２において、駆動周波数を高く設定する信号を、ＣＰＵex５０２が駆動周波数制御部ex５１２に送る。そして、駆動周波数制御部ex５１２において、高い駆動周波数に設定される。一方、従来のＭＰＥＧ−２、ＭＰＥＧ４−ＡＶＣ、ＶＣ−１などの規格に準拠する映像データであることを示している場合には、ステップexＳ２０３において、駆動周波数を低く設定する信号を、ＣＰＵex５０２が駆動周波数制御部ex５１２に送る。そして、駆動周波数制御部ex５１２において、映像データが上記各実施の形態で示した符号化方法または装置によって生成されたものである場合に比べ、低い駆動周波数に設定される。
【０２６０】
さらに、駆動周波数の切替えに連動して、ＬＳＩex５００またはＬＳＩex５００を含む装置に与える電圧を変更することにより、省電力効果をより高めることが可能である。例えば、駆動周波数を低く設定する場合には、これに伴い、駆動周波数を高く設定している場合に比べ、ＬＳＩex５００またはＬＳＩex５００を含む装置に与える電圧を低く設定することが考えられる。
【０２６１】
また、駆動周波数の設定方法は、復号する際の処理量が大きい場合に、駆動周波数を高く設定し、復号する際の処理量が小さい場合に、駆動周波数を低く設定すればよく、上述した設定方法に限らない。例えば、ＭＰＥＧ４−ＡＶＣ規格に準拠する映像データを復号する処理量の方が、上記各実施の形態で示した動画像符号化方法または装置により生成された映像データを復号する処理量よりも大きい場合には、駆動周波数の設定を上述した場合の逆にすることが考えられる。
【０２６２】
さらに、駆動周波数の設定方法は、駆動周波数を低くする構成に限らない。例えば、識別情報が、上記各実施の形態で示した動画像符号化方法または装置によって生成された映像データであることを示している場合には、ＬＳＩex５００またはＬＳＩex５００を含む装置に与える電圧を高く設定し、従来のＭＰＥＧ−２、ＭＰＥＧ４−ＡＶＣ、ＶＣ−１などの規格に準拠する映像データであることを示している場合には、ＬＳＩex５００またはＬＳＩex５００を含む装置に与える電圧を低く設定することも考えられる。また、他の例としては、識別情報が、上記各実施の形態で示した動画像符号化方法または装置によって生成された映像データであることを示している場合には、ＣＰＵex５０２の駆動を停止させることなく、従来のＭＰＥＧ−２、ＭＰＥＧ４−ＡＶＣ、ＶＣ−１などの規格に準拠する映像データであることを示している場合には、処理に余裕があるため、ＣＰＵex５０２の駆動を一時停止させることも考えられる。識別情報が、上記各実施の形態で示した動画像符号化方法または装置によって生成された映像データであることを示している場合であっても、処理に余裕があれば、ＣＰＵex５０２の駆動を一時停止させることも考えられる。この場合は、従来のＭＰＥＧ−２、ＭＰＥＧ４−ＡＶＣ、ＶＣ−１などの規格に準拠する映像データであることを示している場合に比べて、停止時間を短く設定することが考えられる。
【０２６３】
このように、映像データが準拠する規格に応じて、駆動周波数を切替えることにより、省電力化を図ることが可能になる。また、電池を用いてＬＳＩex５００またはＬＳＩex５００を含む装置を駆動している場合には、省電力化に伴い、電池の寿命を長くすることが可能である。
【０２６４】
（実施の形態９）
テレビや、携帯電話など、上述した機器・システムには、異なる規格に準拠する複数の映像データが入力される場合がある。このように、異なる規格に準拠する複数の映像データが入力された場合にも復号できるようにするために、ＬＳＩex５００の信号処理部ex５０７が複数の規格に対応している必要がある。しかし、それぞれの規格に対応する信号処理部ex５０７を個別に用いると、ＬＳＩex５００の回路規模が大きくなり、また、コストが増加するという課題が生じる。
【０２６５】
この課題を解決するために、上記各実施の形態で示した動画像復号方法を実行するための復号処理部と、従来のＭＰＥＧ−２、ＭＰＥＧ４−ＡＶＣ、ＶＣ−１などの規格に準拠する復号処理部とを一部共有化する構成とする。この構成例を図４５Ａのex９００に示す。例えば、上記各実施の形態で示した動画像復号方法と、ＭＰＥＧ４−ＡＶＣ規格に準拠する動画像復号方法とは、エントロピー符号化、逆量子化、デブロッキング・フィルタ、動き補償などの処理において処理内容が一部共通する。共通する処理内容については、ＭＰＥＧ４−ＡＶＣ規格に対応する復号処理部ex９０２を共有し、ＭＰＥＧ４−ＡＶＣ規格に対応しない、本発明の一態様に特有の他の処理内容については、専用の復号処理部ex９０１を用いるという構成が考えられる。特に、本発明の一態様は、動き補償に特徴を有していることから、例えば、動き補償については専用の復号処理部ex９０１を用い、それ以外のエントロピー復号、デブロッキング・フィルタ、逆量子化のいずれか、または、全ての処理については、復号処理部を共有することが考えられる。復号処理部の共有化に関しては、共通する処理内容については、上記各実施の形態で示した動画像復号化方法を実行するための復号処理部を共有し、ＭＰＥＧ４−ＡＶＣ規格に特有の処理内容については、専用の復号処理部を用いる構成であってもよい。
【０２６６】
また、処理を一部共有化する他の例を図４５Ｂのex１０００に示す。この例では、本発明の一態様に特有の処理内容に対応した専用の復号処理部ex１００１と、他の従来規格に特有の処理内容に対応した専用の復号処理部ex１００２と、本発明の一態様に係る動画像復号方法と他の従来規格の動画像復号方法とに共通する処理内容に対応した共用の復号処理部ex１００３とを用いる構成としている。ここで、専用の復号処理部ex１００１、ex１００２は、必ずしも本発明の一態様、または、他の従来規格に特有の処理内容に特化したものではなく、他の汎用処理を実行できるものであってもよい。また、本実施の形態の構成を、ＬＳＩex５００で実装することも可能である。
【０２６７】
このように、本発明の一態様に係る動画像復号方法と、従来の規格の動画像復号方法とで共通する処理内容について、復号処理部を共有することにより、ＬＳＩの回路規模を小さくし、かつ、コストを低減することが可能である。
【産業上の利用可能性】
【０２６８】
本発明は、様々な用途に利用可能である。例えば、テレビ、デジタルビデオレコーダー、カーナビゲーション、携帯電話、デジタルカメラ、デジタルビデオカメラ等の高解像度の情報表示機器や撮像機器に利用可能であり、利用価値が高い。
【符号の説明】
【０２６９】
１００、２００、３００、５００  画像復号装置
１０１  パラメータ候補生成部
１０２  パラメータ情報復号部
１０３  エラー検出部
１０４  画像復号部
５０１  制御部
５０２  フレームメモリ
５０３  可変長復号部
５０４  逆量子化部
５０５  逆周波数変換部
５０６  動き補償部
５０７  面内予測部
５０８  再構成部
５０９  再構成画像メモリ
５１０  インループフィルタ部
５１１  動きベクトル演算部
５１２  ＤＭＡ制御部
５１３  参照画像記憶部
５１４  予測画像記憶部
５１５  動きベクトル記憶部
５１６  動き補償処理部
【図１Ａ】
2013136678.tif 000004
【図１Ｂ】
2013136678.tif 000005
【図２】
2013136678.tif 000006
【図３】
2013136678.tif 000007
【図４Ａ】
2013136678.tif 000008
【図４Ｂ】
2013136678.tif 000009
【図４Ｃ】
2013136678.tif 000010
【図５Ａ】
2013136678.tif 000011
【図５Ｂ】
2013136678.tif 000012
【図６Ａ】
2013136678.tif 000013
【図６Ｂ】
2013136678.tif 000014
【図６Ｃ】
2013136678.tif 000015
【図７】
2013136678.tif 000016
【図８】
2013136678.tif 000017
【図９】
2013136678.tif 000018
【図１０】
2013136678.tif 000019
【図１１】
2013136678.tif 000020
【図１２】
2013136678.tif 000021
【図１３Ａ】
2013136678.tif 000022
【図１３Ｂ】
2013136678.tif 000023
【図１４】
2013136678.tif 000024
【図１５】
2013136678.tif 000025
【図１６】
2013136678.tif 000026
【図１７Ａ】
2013136678.tif 000027
【図１７Ｂ】
2013136678.tif 000028
【図１８】
2013136678.tif 000029
【図１９】
2013136678.tif 000030
【図２０】
2013136678.tif 000031
【図２１】
2013136678.tif 000032
【図２２】
2013136678.tif 000033
【図２３】
2013136678.tif 000034
【図２４】
2013136678.tif 000035
【図２５】
2013136678.tif 000036
【図２６】
2013136678.tif 000037
【図２７】
2013136678.tif 000038
【図２８】
2013136678.tif 000039
【図２９】
2013136678.tif 000040
【図３０】
2013136678.tif 000041
【図３１】
2013136678.tif 000042
【図３２Ａ】
2013136678.tif 000043
【図３２Ｂ】
2013136678.tif 000044
【図３３】
2013136678.tif 000045
【図３４】
2013136678.tif 000046
【図３５】
2013136678.tif 000047
【図３６】
2013136678.tif 000048
【図３７】
2013136678.tif 000049
【図３８】
2013136678.tif 000050
【図３９】
2013136678.tif 000051
【図４０】
2013136678.tif 000052
【図４１】
2013136678.tif 000053
【図４２】
2013136678.tif 000054
【図４３】
2013136678.tif 000055
【図４４】
2013136678.tif 000056
【図４５Ａ】
2013136678.tif 000057
【図４５Ｂ】
2013136678.tif 000058
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
複数のユニットに分割された画像の符号化ストリームを復号する画像復号装置であって、
１以上の復号済みユニットの復号に用いられた１以上のパラメータを用いて、それぞれが復号対象ユニットの復号に用いられるパラメータの候補である１以上のパラメータ候補を含むパラメータ候補リストを復号対象ユニット毎に生成するパラメータ候補生成部と、
前記符号化ストリームに含まれる情報であり、前記１以上のパラメータ候補に関する情報であるパラメータ情報を復号するパラメータ情報復号部と、
前記パラメータ候補生成部で生成された前記パラメータ候補リストに、前記パラメータ情報復号部で復号された前記パラメータ情報が整合しない状態をエラーとして検出するエラー検出部とを備える
画像復号装置。
【請求項２】
前記パラメータ情報復号部は、前記パラメータ候補リストから前記復号対象ユニットの復号に用いられる前記パラメータを特定するための前記パラメータ情報を復号し、
前記エラー検出部は、前記パラメータ情報復号部で復号された前記パラメータ情報により特定される前記パラメータが前記パラメータ候補リストに存在しない前記状態を前記エラーとして検出する
請求項１に記載の画像復号装置。
【請求項３】
前記パラメータ情報復号部は、前記１以上のパラメータ候補の最大数を示す前記パラメータ情報を復号し、
前記エラー検出部は、前記パラメータ候補生成部で生成された前記パラメータ候補リストに含まれる前記１以上のパラメータ候補の候補数が、前記パラメータ情報復号部で復号された前記パラメータ情報により示される前記最大数よりも大きい前記状態を前記エラーとして検出する
請求項１に記載の画像復号装置。
【請求項４】
前記パラメータ情報復号部は、前記パラメータ候補リストから前記復号対象ユニットの復号に用いられる前記パラメータを特定するための番号を示す前記パラメータ情報を復号し、
前記エラー検出部は、前記パラメータ情報復号部で復号された前記パラメータ情報により示される前記番号が、前記パラメータ候補リストに含まれる前記１以上のパラメータ候補の最大数よりも大きい前記状態を前記エラーとして検出する
請求項１または２に記載の画像復号装置。
【請求項５】
前記複数のユニットのそれぞれは、予測ユニットである
請求項１〜４のいずれか１項に記載の画像復号装置。
【請求項６】
前記パラメータ候補リストに含まれる前記１以上のパラメータ候補のそれぞれは、予測動きベクトル候補である
請求項５に記載の画像復号装置。
【請求項７】
前記パラメータ候補リストに含まれる前記１以上のパラメータ候補のそれぞれは、面内予測モード候補である
請求項５に記載の画像復号装置。
【請求項８】
前記画像復号装置は、さらに、前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、
前記画像復号部は、前記エラー検出部により前記エラーが検出された場合でも、前記符号化ストリームの復号を継続する
請求項１〜７のいずれか１項に記載の画像復号装置。
【請求項９】
前記画像復号部は、前記エラー検出部により前記エラーが検出された場合、前記エラーを隠蔽して、前記符号化ストリームの復号を継続する
請求項８に記載の画像復号装置。
【請求項１０】
前記画像復号部は、前記エラー検出部により前記エラーが検出された場合、前記パラメータ候補リストから代替パラメータを特定し、特定された前記代替パラメータを用いて前記復号対象ユニットを復号することにより、前記エラーを隠蔽する
請求項９に記載の画像復号装置。
【請求項１１】
前記画像復号部は、前記エラー検出部により前記エラーが検出された場合、予め定められた代替パラメータを用いて前記復号対象ユニットを復号することにより、前記エラーを隠蔽する
請求項９に記載の画像復号装置。
【請求項１２】
前記画像復号部は、前記エラー検出部により前記エラーが検出された場合、前記復号対象ユニットとは異なるユニットを復号することにより、前記符号化ストリームの復号を継続する
請求項８に記載の画像復号装置。
【請求項１３】
複数のユニットに分割された画像の符号化ストリームを復号する画像復号装置であって、
１以上の復号済みユニットの復号に用いられた１以上のパラメータを用いて、それぞれが復号対象ユニットの復号に用いられるパラメータの候補である１以上のパラメータ候補を含むパラメータ候補リストを復号対象ユニット毎に生成するパラメータ候補生成部と、
前記符号化ストリームに含まれる情報であり、前記１以上のパラメータ候補に関する情報であるパラメータ情報を復号するパラメータ情報復号部と、
前記パラメータ情報復号部で復号された前記パラメータ情報に基づいて前記パラメータ候補リストから前記復号対象ユニットの復号に用いられる前記パラメータを特定し、特定された前記パラメータを用いて前記復号対象ユニットを復号する画像復号部を備え、
前記画像復号部は、前記パラメータ候補生成部で生成された前記パラメータ候補リストに、前記パラメータ情報復号部で復号された前記パラメータ情報が整合しない場合でも、前記符号化ストリームの復号を継続する
画像復号装置。
【請求項１４】
前記画像復号部は、前記パラメータ候補リストに前記パラメータ情報が整合しない場合、代替パラメータを用いて前記復号対象ユニットを復号することにより、前記符号化ストリームの復号を継続する
請求項１３に記載の画像復号装置。
【請求項１５】
前記画像復号部は、前記パラメータ候補リストに前記パラメータ情報が整合しない場合、前記復号対象ユニットとは異なるユニットを復号することにより、前記符号化ストリームの復号を継続する
請求項１３に記載の画像復号装置。
【請求項１６】
複数のユニットに分割された画像の符号化ストリームを復号する画像復号方法であって、
１以上の復号済みユニットの復号に用いられた１以上のパラメータを用いて、それぞれが復号対象ユニットの復号に用いられるパラメータの候補である１以上のパラメータ候補を含むパラメータ候補リストを復号対象ユニット毎に生成するパラメータ候補生成ステップと、
前記符号化ストリームに含まれる情報であり、前記１以上のパラメータ候補に関する情報であるパラメータ情報を復号するパラメータ情報復号ステップと、
前記パラメータ候補生成ステップで生成された前記パラメータ候補リストに、前記パラメータ情報復号ステップで復号された前記パラメータ情報が整合しない状態をエラーとして検出するエラー検出ステップとを含む
画像復号方法。
【請求項１７】
請求項１６に記載の画像復号方法をコンピュータに実行させるためのプログラム。
【請求項１８】
複数のユニットに分割された画像の符号化ストリームを復号する集積回路であって、
１以上の復号済みユニットの復号に用いられた１以上のパラメータを用いて、それぞれが復号対象ユニットの復号に用いられるパラメータの候補である１以上のパラメータ候補を含むパラメータ候補リストを復号対象ユニット毎に生成するパラメータ候補生成部と、
前記符号化ストリームに含まれる情報であり、前記１以上のパラメータ候補に関する情報であるパラメータ情報を復号するパラメータ情報復号部と、
前記パラメータ候補生成部で生成された前記パラメータ候補リストに、前記パラメータ情報復号部で復号された前記パラメータ情報が整合しない状態をエラーとして検出するエラー検出部とを備える
集積回路。
【請求項１９】
前記パラメータ候補生成部は、前記復号対象ユニットに空間的に隣接する復号済みユニットの動きベクトル、および、前記復号対象ユニットを含むピクチャに時間的に隣接するピクチャに含まれる復号済みユニットの動きベクトルを前記１以上のパラメータとして用いて、前記パラメータ候補リストを生成する
請求項１〜６のいずれか１項に記載の画像復号装置。
【国際調査報告】
2013136678.tif 000059
2013136678.tif 000060
2013136678.tif 000061
2013136678.tif 000062